(57)【特許請求の範囲】
【請求項１】
撮影レンズにおける第１及び第２の領域を通過した被写体像が瞳分割されてそれぞれ結像されることにより第１及び第２の画像信号を出力する第１及び第２の画素群を有する撮像素子から出力された前記第１及び第２の画像信号に基づく第１及び第２の画像を取得する画像取得部と、
前記第１の画素群における瞳分割方向の画素の前記第１の領域を介して入射される光に対する感度、及び前記第２の画素群における瞳分割方向の画素の前記第２の領域を介して入射される光に対する感度を取得する感度取得部と、
前記感度取得部により取得された感度に基づいて前記第１の画像及び前記第２の画像の各々に対して直線近似した感度補正係数を求め、求めた感度補正係数に基づいて前記第１及び第２の画像の輝度を補正する補正部と、
前記撮像素子から出力された画像信号に基づいて第１の表示用画像を生成すると共に、前記補正部により補正された前記第１及び第２の画像に基づいて合焦確認に使用する第２の表示用画像を生成する生成部と、
画像を表示する表示部と、
前記表示部に対して、前記生成部により生成された前記第１の表示用画像を動画像として連続して表示させ、かつ、前記第１の表示用画像の表示領域内に、前記生成部により生成された前記第２の表示用画像を動画像として連続して表示させる制御を行う表示制御部と、
を含む画像処理装置。
【請求項２】
撮影レンズにおける第１及び第２の領域を通過した被写体像が瞳分割されてそれぞれ結像されることにより第１及び第２の画像信号を出力する第１及び第２の画素群を有する撮像素子から出力された前記第１及び第２の画像信号に基づく第１及び第２の画像を取得する画像取得部と、
前記第１の画素群における瞳分割方向の少なくとも両端部の画素の前記第１の領域を介して入射される光に対する感度、及び前記第２の画素群における瞳分割方向の画素の前記第２の領域を介して入射される光に対する感度を取得する感度取得部と、
前記感度取得部により取得された感度に基づいて前記第１の画像及び前記第２の画像の各々に対して直線近似した感度補正係数を求め、求めた感度補正係数に基づいて前記第１及び第２の画像の輝度を補正する補正部と、
前記撮像素子から出力された画像信号に基づいて第１の表示用画像を生成すると共に、前記補正部により補正された前記第１及び第２の画像に基づいて合焦確認に使用する第２の表示用画像を生成する生成部と、
画像を表示する表示部と、
前記生成部により生成された前記第１の表示用画像の前記表示部による動画像としての連続した表示を抑止し、かつ、前記表示部に対して、前記生成部により生成された前記第２の表示用画像を動画像として連続して表示させる制御を行う表示制御部と、
を含む画像処理装置。
【請求項３】
前記感度補正係数は、更に、前記第１及び第２の画素群の各々の瞳分割方向の中央部に含まれる対応する画素間の感度差を前記第１及び第２の画素群の各々の瞳分割方向の両端部に含まれる対応する画素間の感度差よりも小さくする感度補正係数である請求項１又は請求項２に記載の画像処理装置。
【請求項４】
前記補正部は、前記画像取得部により取得された前記第１及び第２の画像の輝度を、前記感度補正係数を用いて補正し、補正した輝度を所定係数を乗じて調整する請求項１〜請求項３の何れか１項に記載の画像処理装置。
【請求項５】
前記補正部は、撮影条件に基づいて前記感度補正係数を導出し、導出した前記感度補正係数を用いて、前記画像取得部により取得された前記第１及び第２の画像の輝度を補正する請求項１〜請求項４の何れか１項に記載の画像処理装置。
【請求項６】
前記補正部は、前記撮影条件に基づいて定められた目標感度を参考にして前記感度補正係数を導出し、導出した前記感度補正係数を用いて前記画像取得部により取得された前記第１及び第２の画像の輝度を補正する請求項５に記載の画像処理装置。
【請求項７】
前記撮影条件を絞り値とし、
前記補正部は、予め定められた複数の絞り値の各々について前記目標感度を参考にして前記感度補正係数が予め導出された状態で、前記複数の絞り値以外の絞り値に基づく前記第１及び第２の画像が前記画像取得部によって取得される場合、前記複数の絞り値のうちの少なくとも２つの絞り値の各々についての前記感度補正係数を補間し、補間後の前記感度補正係数を用いて、前記画像取得部により取得された前記第１及び第２の画像の輝度を補正する請求項６に記載の画像処理装置。
【請求項８】
前記感度取得部は、前記第１及び第２の画素群の各々の瞳分割方向の中央部に含まれる複数の画素の感度を取得する請求項１〜請求項７の何れか１項に記載の画像処理装置。
【請求項９】
前記撮像素子は、前記撮影レンズを透過した被写体像が瞳分割されずに結像されて第３の画像信号を出力する第３の画素群を更に有し、
前記生成部は、前記第３の画素群から出力された前記第３の画像信号に基づいて前記第１の表示用画像を生成する請求項１〜請求項８の何れか１項に記載の画像処理装置。
【請求項１０】
請求項１〜請求項９の何れか１項に記載の画像処理装置と、
前記第１及び第２の画素群を有する撮像素子と、
前記撮像素子から出力された画像信号に基づいて生成された画像を記憶する記憶部と、
を含む撮像装置。
【請求項１１】
撮影レンズにおける第１及び第２の領域を通過した被写体像が瞳分割されてそれぞれ結像されることにより第１及び第２の画像信号を出力する第１及び第２の画素群を有する撮像素子から出力された前記第１及び第２の画像信号に基づく第１及び第２の画像を取得し、
前記第１の画素群における瞳分割方向の画素の前記第１の領域を介して入射される光に対する感度、及び前記第２の画素群における瞳分割方向の画素の前記第２の領域を介して入射される光に対する感度を取得し、
取得した感度に基づいて前記第１の画像及び前記第２の画像の各々に対して直線近似した感度補正係数を求め、求めた感度補正係数に基づいて前記第１及び第２の画像の輝度を補正し、
前記撮像素子から出力された画像信号に基づいて第１の表示用画像を生成し、
補正した前記第１及び第２の画像に基づいて合焦確認に使用する第２の表示用画像を生成し、
画像を表示する表示部に対して、生成した前記第１の表示用画像を動画像として連続して表示させ、かつ、前記第１の表示用画像の表示領域内に、生成した前記第２の表示用画像を動画像として連続して表示させる制御を行うことを含む画像処理方法。
【請求項１２】
撮影レンズにおける第１及び第２の領域を通過した被写体像が瞳分割されてそれぞれ結像されることにより第１及び第２の画像信号を出力する第１及び第２の画素群を有する撮像素子から出力された前記第１及び第２の画像信号に基づく第１及び第２の画像を取得し、
前記第１の画素群における瞳分割方向の画素の前記第１の領域を介して入射される光に対する感度、及び前記第２の画素群における瞳分割方向の画素の前記第２の領域を介して入射される光に対する感度を取得し、
取得した感度に基づいて前記第１の画像及び前記第２の画像の各々に対して直線近似した感度補正係数を求め、求めた感度補正係数に基づいて前記第１及び第２の画像の輝度を補正し、
前記撮像素子から出力された画像信号に基づいて第１の表示用画像を生成し、
補正した前記第１及び第２の画像に基づいて合焦確認に使用する第２の表示用画像を生成し、
生成した前記第１の表示用画像の表示部による動画像としての連続した表示を抑止し、かつ、前記表示部に対して、生成した前記第２の表示用画像を動画像として連続して表示させる制御を行うことを含む画像処理方法。
【請求項１３】
コンピュータを、
請求項１〜請求項９の何れか１項に記載の画像処理装置における前記画像取得部、前記感度取得部、前記補正部及び前記表示制御部として機能させるための画像処理プログラム。
【発明の詳細な説明】
【技術分野】
【０００１】
本発明は、画像処理装置、撮像装置、画像処理方法及び画像処理プログラムに関する。
【背景技術】
【０００２】
デジタルカメラとして、位相差検出方式やコントラスト検出方式を用いたオートフォーカスの他に、使用者が手動でフォーカス調整を行うことができる、いわゆるマニュアルフォーカスモードを備えるものが広く知られている。【０００３】
マニュアルフォーカスモードを有するデジタルカメラとしては、被写体を確認しながらフォーカス調整ができるようにレフレックスミラーを設けて、目視による位相差を表示するスプリットマイクロプリズムスクリーンを用いた方法を採用したものが知られている。また、目視によるコントラストの確認を行う方法を採用したものも知られている。【０００４】
ところで、近年普及しているレフレックスミラーを省略したデジタルカメラでは、レフレックスミラーがないため位相差を表示しながら被写体像を確認する方法がなく、コントラスト検出方式に頼らざるを得なかった。しかし、この場合には、ＬＣＤ（liquid crystal display：液晶ディスプレイ）等の表示装置の解像度以上のコントラストの表示ができず、一部拡大するなどして表示する方法を採らざるを得なかった。【０００５】
そこで、近年では、マニュアルフォーカスモード時に操作者が被写体に対してピントを合わせる作業を容易にするために、スプリットイメージをライブビュー画像（スルー画像ともいう）内に表示している。スプリットイメージとは、例えば表示領域が複数に分割された分割画像（例えば上下方向に分割された各画像）であって、ピントのずれに応じて視差発生方向（例えば左右方向）にずれ、ピントが合った状態だと視差発生方向のずれがなくなる分割画像を指す。操作者（例えば撮影者）は、スプリットイメージ（例えば上下方向に分割された各画像）のずれがなくなるように、マニュアルフォーカスリング（以下、「フォーカスリング」という）を操作してピントを合わせる。【０００６】
特開２００９−１４７６６５号公報（以下、「特許文献１」という）に記載の撮像装置は、撮像光学系からの光束のうち、瞳分割部によって分割された光束により形成された第１の被写体像及び第２の被写体像をそれぞれ光電変換した第１の画像及び第２の画像を生成する。そして、これらの第１及び第２の画像を用いてスプリットイメージを生成し、かつ、瞳分割部によって分割されない光束により形成された第３の被写体像を光電変換して第３の画像を生成する。そして、第３の画像を表示部に表示し、かつ、第３の画像内に、生成したスプリットイメージを表示し、かつ第３の画像から抽出した色情報をスプリットイメージに付加するようにしている。このように第３の画像から抽出した色情報をスプリットイメージに付加することにより、スプリットイメージの視認性を良好にすることができる。【０００７】
特開２０１１−２２３５６２号公報（以下、「特許文献２」という）に記載の撮像装置は、撮影光学系の左右方向の異なる領域を通過した光を各々受光し、光電変換することにより左右の視点画像を取得し、左右の視点画像に対するシェーディング補正量を異ならせて左右の視点画像に対してシェーディング補正を行う。【０００８】
特開２０１２−７５０７９号公報（以下、「特許文献３」という）に記載の撮像装置は、単一の撮影光学系を用いて撮影された左右の視差画像に対して、左右の視差画像間の輝度差が軽減するようにそれぞれ異なるシェーディング補正をかけることを特徴としている。【０００９】
ＷＯ２０１２／０３６０１９公報（以下、「特許文献４」という）に記載の撮像装置は、レンズの有するシェーディングを補正する２次元の補正テーブルと単眼３Ｄに起因するシェーディングを補正する１次元の補正テーブルとを備えている。
【発明の概要】
【発明が解決しようとする課題】
【００１０】
ところで、通常、スプリットイメージはライブビューで連続的に表示させるものであるが、この場合、通常画像と位相差画像という特定の異なる画像が混在するため、それぞれの画像に対して個別に画像処理が必要になり、処理負荷が大きくなる。このような処理負荷の大きな画像処理を行うと表示のリアルタイム性が損なわれる虞がある。すなわち、撮像してから、撮像して得た画像が表示されるまでの時間が長くなり、単位時間当たりに表示される画像の枚数が少なくなる虞があるということである。そのため、スプリットイメージの表示のリアルタイム性を確保するために簡易的な画像処理が要求されている。【００１１】
本発明は、このような実情を鑑みて提案されたものであり、合焦画像用の画像の表示のリアルタイム性を簡素な構成で確保することができる画像処理装置、撮像装置、画像処理方法及び画像処理プログラムを提供することを目的とする。
【課題を解決するための手段】
【００１２】
上記目的を達成するために、本発明の第１の態様に係る画像処理装置は、撮影レンズにおける第１及び第２の領域を通過した被写体像が瞳分割されてそれぞれ結像されることにより第１及び第２の画像信号を出力する第１及び第２の画素群を有する撮像素子から出力された前記第１及び第２の画像信号に基づく第１及び第２の画像を取得する画像取得部と、前記第１の画素群における瞳分割方向の画素の前記第１の領域を介して入射される光に対する感度、及び前記第２の画素群における瞳分割方向の画素の前記第２の領域を介して入射される光に対する感度を取得する感度取得部と、前記感度取得部により取得された感度に基づいて前記第１の画像及び前記第２の画像の各々に対して直線近似した感度補正係数を求め、求めた感度補正係数に基づいて前記第１及び第２の画像の輝度を補正する補正部と、前記撮像素子から出力された画像信号に基づいて第１の表示用画像を生成すると共に、前記補正部により補正された前記第１及び第２の画像に基づいて合焦確認に使用する第２の表示用画像を生成する生成部と、画像を表示する表示部と、前記表示部に対して、前記生成部により生成された前記第１の表示用画像を動画像として連続して表示させ、かつ、前記第１の表示用画像の表示領域内に、前記生成部により生成された前記第２の表示用画像を動画像として連続して表示させる制御を行う表示制御部と、を含む。これにより、本構成を有しない場合に比べ、合焦画像用の画像の表示のリアルタイム性を簡素な構成で確保することができる。【００１３】
上記目的を達成するために、本発明の第２の態様に係る画像処理装置は、撮影レンズにおける第１及び第２の領域を通過した被写体像が瞳分割されてそれぞれ結像されることにより第１及び第２の画像信号を出力する第１及び第２の画素群を有する撮像素子から出力された前記第１及び第２の画像信号に基づく第１及び第２の画像を取得する画像取得部と、前記第１の画素群における瞳分割方向の少なくとも両端部の画素の前記第１の領域を介して入射される光に対する感度、及び前記第２の画素群における瞳分割方向の画素の前記第２の領域を介して入射される光に対する感度を取得する感度取得部と、前記感度取得部により取得された感度に基づいて前記第１の画像及び前記第２の画像の各々に対して直線近似した感度補正係数を求め、求めた感度補正係数に基づいて前記第１及び第２の画像の輝度を補正する補正部と、前記撮像素子から出力された画像信号に基づいて第１の表示用画像を生成すると共に、前記補正部により補正された前記第１及び第２の画像に基づいて合焦確認に使用する第２の表示用画像を生成する生成部と、画像を表示する表示部と、前記生成部により生成された前記第１の表示用画像の前記表示部による動画像としての連続した表示を抑止し、かつ、前記表示部に対して、前記生成部により生成された前記第２の表示用画像を動画像として連続して表示させる制御を行う表示制御部と、を含む。これにより、本構成を有しない場合に比べ、合焦画像用の画像の表示のリアルタイム性を簡素な構成で確保することができる。【００１４】
本発明の第３の態様は、本発明の第１の態様又は第２の態様において、前記感度補正係数が、更に、前記第１及び第２の画素群の各々の瞳分割方向の中央部に含まれる対応する画素間の感度差を前記第１及び第２の画素群の各々の瞳分割方向の両端部に含まれる対応する画素間の感度差よりも小さくする感度補正係数であるものとしてもよい。これにより、本構成を有しない場合に比べ、簡素な構成で、合焦確認用の画像の瞳分割方向に相当する方向の中央部に含まれる画素間の輝度差を両端部の輝度差よりも軽減することができる。【００１５】
本発明の第４の態様は、本発明の第１の態様から第３の態様の何れか１つにおいて、前記補正部が、前記画像取得部により取得された前記第１及び第２の画像の輝度を、前記感度補正係数を用いて補正し、補正した輝度を所定係数を乗じて調整するものとしてもよい。これにより、本構成を有しない場合に比べ、簡素な構成で、合焦確認用の画像の全体的な輝度を目標とする輝度に近付けることができる。【００１６】
本発明の第５の態様は、本発明の第１の態様から第４の態様の何れか１つにおいて、前記補正部が、撮影条件に基づいて前記感度補正係数を導出し、導出した前記感度補正係数を用いて、前記画像取得部により取得された前記第１及び第２の画像の輝度を補正するものとしてもよい。これにより、撮影条件に基づいて導出された感度補正係数を用いない場合に比べ、合焦確認用の画像の輝度が目標とする輝度から撮影条件に起因して乖離することを抑制することができる。【００１７】
本発明の第６の態様は、本発明の第５の態様において、前記補正部が、前記撮影条件に基づいて定められた目標感度を参考にして前記感度補正係数を導出し、導出した前記感度補正係数を用いて前記画像取得部により取得された前記第１及び第２の画像の輝度を補正するものとしてもよい。これにより、本構成を有しない場合に比べ、簡素な構成で、合焦確認用の画像の輝度が目標とする輝度から撮影条件に起因して乖離することを抑制することができる。【００１８】
本発明の第７の態様は、本発明の第６の態様において、前記撮影条件を絞り値とし、前記補正部が、予め定められた複数の絞り値の各々について前記目標感度を参考にして前記感度補正係数が予め導出された状態で、前記複数の絞り値以外の絞り値に基づく前記第１及び第２の画像が前記画像取得部によって取得される場合、前記複数の絞り値のうちの少なくとも２つの絞り値の各々についての前記感度補正係数を補間し、補間後の前記感度補正係数を用いて、前記画像取得部により取得された前記第１及び第２の画像の輝度を補正するものとしてもよい。これにより、本構成を有しない場合に比べ、絞り値が無段階的に設定される場合であっても、合焦確認用の画像の輝度が目標とする輝度から絞り値に起因して乖離することを抑制することができる。【００１９】
本発明の第８の態様は、本発明の第１の態様から第７の態様の何れか１つにおいて、前記感度取得部が、前記第１及び第２の画素群の各々の瞳分割方向の中央部に含まれる複数の画素の感度を取得するものとしてもよい。これにより、第１及び第２の画素群の各々の瞳分割方向の中央部に含まれる複数の画素の感度を取得しない場合に比べ、合焦確認用の画像の中央部の輝度を高精度に補正することができる。【００２０】
本発明の第９の態様は、本発明の第１の態様から第８の態様の何れか１つにおいて、前記撮像素子が、前記撮影レンズを透過した被写体像が瞳分割されずに結像されて第３の画像信号を出力する第３の画素群を更に有し、前記生成部が、前記第３の画素群から出力された前記第３の画像信号に基づいて前記第１の表示用画像を生成するものとしてもよい。本構成を有しない場合に比べ、簡素な構成で、第１の表示用画像の画質を向上させることができる。【００２１】
上記目的を達成するために、本発明の第１０の態様に係る撮像装置は、本発明の第１の態様から第９の態様の何れか１つの画像処理装置と、前記第１及び第２の画素群を有する撮像素子と、前記撮像素子から出力された画像信号に基づいて生成された画像を記憶する記憶部と、を含む。これにより、本構成を有しない場合に比べ、合焦画像用の画像の表示のリアルタイム性を簡素な構成で確保することができる。【００２２】
上記目的を達成するために、本発明の第１１の態様に係る画像処理方法は、撮影レンズにおける第１及び第２の領域を通過した被写体像が瞳分割されてそれぞれ結像されることにより第１及び第２の画像信号を出力する第１及び第２の画素群を有する撮像素子から出力された前記第１及び第２の画像信号に基づく第１及び第２の画像を取得し、前記第１の画素群における瞳分割方向の画素の前記第１の領域を介して入射される光に対する感度、及び前記第２の画素群における瞳分割方向の画素の前記第２の領域を介して入射される光に対する感度を取得し、取得した感度に基づいて前記第１の画像及び前記第２の画像の各々に対して直線近似した感度補正係数を求め、求めた感度補正係数に基づいて前記第１及び第２の画像の輝度を補正し、前記撮像素子から出力された画像信号に基づいて第１の表示用画像を生成し、補正した前記第１及び第２の画像に基づいて合焦確認に使用する第２の表示用画像を生成し、画像を表示する表示部に対して、生成した前記第１の表示用画像を動画像として連続して表示させ、かつ、前記第１の表示用画像の表示領域内に、生成した前記第２の表示用画像を動画像として連続して表示させる制御を行うことを含む。これにより、本構成を有しない場合に比べ、合焦画像用の画像の表示のリアルタイム性を簡素な構成で確保することができる。【００２３】
上記目的を達成するために、本発明の第１２の態様に係る画像処理方法は、撮影レンズにおける第１及び第２の領域を通過した被写体像が瞳分割されてそれぞれ結像されることにより第１及び第２の画像信号を出力する第１及び第２の画素群を有する撮像素子から出力された前記第１及び第２の画像信号に基づく第１及び第２の画像を取得し、前記第１の画素群における瞳分割方向の画素の前記第１の領域を介して入射される光に対する感度、及び前記第２の画素群における瞳分割方向の画素の前記第２の領域を介して入射される光に対する感度を取得し、取得した感度に基づいて前記第１の画像及び前記第２の画像の各々に対して直線近似した感度補正係数を求め、求めた感度補正係数に基づいて前記第１及び第２の画像の輝度を補正し、前記撮像素子から出力された画像信号に基づいて第１の表示用画像を生成し、補正した前記第１及び第２の画像に基づいて合焦確認に使用する第２の表示用画像を生成し、生成した前記第１の表示用画像の表示部による動画像としての連続した表示を抑止し、かつ、前記表示部に対して、生成した前記第２の表示用画像を動画像として連続して表示させる制御を行うことを含む。これにより、本構成を有しない場合に比べ、合焦画像用の画像の表示のリアルタイム性を簡素な構成で確保することができる。【００２４】
上記目的を達成するために、本発明の第１３の態様に係る画像処理プログラムは、本発明の第１の態様から第９の態様の何れか１つの画像処理装置における前記画像取得部、前記感度取得部、前記補正部及び前記表示制御部としてコンピュータを機能させるためのものである。これにより、本構成を有しない場合に比べ、合焦画像用の画像の表示のリアルタイム性を簡素な構成で確保することができる。
【発明の効果】
【００２５】
本発明によれば、合焦画像用の画像の表示のリアルタイム性を簡素な構成で確保することができる、という効果が得られる。
【図面の簡単な説明】
【００２６】
【図１】第１〜３実施形態に係るレンズ交換式カメラである撮像装置の外観の一例を示す斜視図である。
【図２】図１に示す撮像装置の背面側を示す背面図である。
【図３】第１〜３実施形態に係る撮像装置の電気系の構成の一例を示すブロック図である。
【図４】第１〜３実施形態に係る撮像装置に含まれる撮像素子に設けられているカラーフィルタの配置の一例を示す概略配置図である。
【図５】第１〜３実施形態に係る撮像装置に含まれる撮像素子における位相差画素の配置の一例を示す概略構成図である。
【図６】第１〜３実施形態に係る撮像装置の撮像素子に含まれる位相差画素（第１の画素及び第２の画素）の構成の一例を示す概略構成図である。
【図７】第１〜３実施形態に係る撮像装置に含まれる画像処理部の要部機能の一例を示す機能ブロック図である。
【図８】第１〜３実施形態に係る画像処理部に含まれる生成部の要部機能の一例を示す機能ブロック図である。
【図９】第１〜３実施形態に係る撮像装置の要部機能の一例を示す機能ブロック図である。
【図１０】第１〜３実施形態に係る撮像装置に含まれる撮像素子における位相差画素を通常画素で補間する態様の一例を示す模式図である。
【図１１Ａ】第１〜３実施形態に係る撮像装置の表示部に表示されたライブビュー画像であって、ピントが合っていない状態のライブビュー画像の一例を示す画面図である。
【図１１Ｂ】第１〜３実施形態に係る撮像装置の表示部に表示されたライブビュー画像であって、ピントが合っている状態のライブビュー画像の一例を示す画面図である。
【図１２】第１〜３実施形態に係る撮像装置に含まれる表示装置におけるスプリットイメージの表示領域及び通常画像の表示領域の位置の一例を示す模式図である。
【図１３】第１〜３実施形態に係る撮像装置に含まれる第１及び第２の画素の各々に入射する光束の経路の一例を示す模式図である。
【図１４】瞳分割方向の線形的な減光特性が左目画像及び右目画像の各々における瞳分割方向に相当する方向の各画素の輝度に与える影響の一例を示すグラフである。
【図１５】第１実施形態に係る画像出力処理の流れの一例を示すフローチャートである。
【図１６】第１実施形態に係る感度補正係数取得処理の流れの一例を示すフローチャートである。
【図１７】第１実施形態に係る感度補正係数取得処理において用いられる第１感度比曲線、第２感度比曲線、第１近似直線、第２近似直線及び目標感度比の一例を示すグラフである。
【図１８】第１実施形態に係る感度補正係数取得処理が行われて得られた感度補正係数を用いて補正された瞳分割方向の画素の感度比の一例を示すグラフである。
【図１９】補正前後の右目画像及び左目画像が受ける減光特性の影響の一例を示す模式図である。
【図２０】第２実施形態に係る感度補正係数取得処理の流れの一例を示すフローチャートである。
【図２１】Ｆ２．０が設定されている状態で絞り値を考慮せずに感度比を補正する場合に用いる第１及び第２近似直線の一例を示すグラフ及び補正後の感度比の一例を示すグラフである。
【図２２】Ｆ５．６が設定されている状態で絞り値を考慮せずに感度比を補正する場合に用いる第１及び第２近似直線の一例を示すグラフ及び補正後の感度比の一例を示すグラフである。
【図２３】Ｆ５．６が設定されている状態で絞り値を考慮して感度比を補正する場合に用いる第１及び第２近似直線の一例を示すグラフ及び補正後の感度比の一例を示すグラフである。
【図２４】第３実施形態に係る画像出力処理の流れの一例を示すフローチャートである。
【図２５】Ｆ２．０、Ｆ２．２及びＦ２．８の場合に導出された補正用直線の一例を示すグラフである。
【図２６】感度補正係数の補間方法の一例を示すグラフである。
【図２７】第４実施形態に係るスマートフォンの外観の一例を示す斜視図である。
【図２８】第４実施形態に係るスマートフォンの電気系の要部構成の一例を示すブロック図である。
【図２９】第１〜４実施形態に係るスプリットイメージの変形例であって、第１の画像及び第２の画像を奇数ラインと偶数ラインとに分けて交互に並べられて形成されたスプリットイメージの一例を示す模式図である。
【図３０】第１〜４実施形態に係るスプリットイメージの変形例であって、行方向に対して傾いた斜めの分割線により分割されているスプリットイメージの一例を示す模式図である。
【図３１Ａ】第１〜４実施形態に係るスプリットイメージの変形例であって、格子状の分割線で分割されたスプリットイメージの一例を示す模式図である。
【図３１Ｂ】第１〜４実施形態に係るスプリットイメージの変形例であって、市松模様に形成されたスプリットイメージの一例を示す模式図である。
【発明を実施するための形態】
【００２７】
以下、添付図面に従って本発明に係る撮像装置の実施の形態の一例について説明する。
【００２８】
［第１実施形態］
図１は、第１実施形態に係る撮像装置１００の外観の一例を示す斜視図であり、図２は、図１に示す撮像装置１００の背面図である。
【００２９】
撮像装置１００は、レンズ交換式カメラである。撮影装置１００は、カメラ本体２００と、カメラ本体２００に交換可能に装着される交換レンズ３００と、を含み、レフレックスミラーが省略されたデジタルカメラである。交換レンズ３００は、手動操作により光軸方向に移動可能なフォーカスレンズ３０２を有する撮影レンズ１６（図３参照）を含む。レフレックスミラーが省略されたデジタルカメラである。また、カメラ本体２００には、ハイブリッドファインダー（登録商標）２２０が設けられている。ここで言うハイブリッドファインダー２２０とは、例えば光学ビューファインダー（以下、「ＯＶＦ」という）及び電子ビューファインダー（以下、「ＥＶＦ」という）が選択的に使用されるファインダーを指す。
【００３０】
交換レンズ３００は、カメラ本体２００に対して交換可能に装着される。また、交換レンズ３００の鏡筒にはフォーカスリング３０１が設けられている。フォーカスリング３０１の手動による回転操作に伴ってフォーカスレンズ３０２は光軸方向に移動し、被写体距離に応じた合焦位置で後述の撮像素子２０（図３参照）に被写体光が結像される。
【００３１】
カメラ本体２００の前面には、ハイブリッドファインダー２２０に含まれるＯＶＦのファインダー窓２４１が設けられている。また、カメラ本体２００の前面には、ファインダー切替えレバー（ファインダー切替え部）２１４が設けられている。ファインダー切替えレバー２１４を矢印ＳＷ方向に回動させると、ＯＶＦで視認可能な光学像とＥＶＦで視認可能な電子像（ライブビュー画像）との間で切り換わるようになっている（後述）。なお、ＯＶＦの光軸Ｌ２は、交換レンズ３００の光軸Ｌ１とは異なる光軸である。また、カメラ本体２００の上面には、主としてレリーズボタン２１１及び撮影モードや再生モード等の設定用のダイヤル２１２が設けられている。
【００３２】
撮影準備指示部及び撮影指示部としてのレリーズボタン２１１は、撮影準備指示状態と撮影指示状態との２段階の押圧操作が検出可能に構成されている。撮影準備指示状態とは、例えば待機位置から中間位置（半押し位置）まで押下される状態を指し、撮影指示状態とは、中間位置を超えた最終押下位置（全押し位置）まで押下される状態を指す。なお、以下では、「待機位置から半押し位置まで押下される状態」を「半押し状態」といい、「待機位置から全押し位置まで押下される状態」を「全押し状態」という。
【００３３】
本第１実施形態に係る撮像装置１００では、レリーズボタン２１１を半押し状態にすることにより撮影条件の調整が行われ、その後、引き続き全押し状態にすると露光（撮影）が行われる。撮影条件としては、例えば露出状態や合焦状態などが挙げられる。なお、本第１実施形態に係る撮像装置１００では、撮影条件の調整として露出状態及び合焦状態の調整が行われる。つまり、レリーズボタン２１１を半押し状態にすることによりＡＥ（Automatic Exposure：自動露出）機能が働いて露出状態（シャッタースピード、絞りの状態）が設定された後、ＡＦ（Auto-Focus：自動ピント）機能が働いて合焦制御される。
【００３４】
カメラ本体２００の背面には、ＯＶＦのファインダー接眼部２４２、表示部２１３、十字キー２２２、ＭＥＮＵ／ＯＫキー２２４、ＢＡＣＫ／ＤＩＳＰボタン２２５が設けられている。
【００３５】
十字キー２２２は、１つ又は複数のメニューの選択、ズームやコマ送り等の各種の指令信号を出力するマルチファンクションのキーとして機能する。ＭＥＮＵ／ＯＫキー２２４は、表示部２１３の画面上に１つ又は複数のメニューを表示させる指令を行うためのメニューボタンとしての機能と、選択内容の確定及び実行などを指令するＯＫボタンとしての機能とを兼備した操作キーである。ＢＡＣＫ／ＤＩＳＰボタン２２５は、選択項目など所望の対象の消去や指定内容の取消し、あるいは１つ前の操作状態に戻すときなどに使用される。
【００３６】
表示部２１３は、例えばＬＣＤにより実現され、撮影モード時に連続フレームで撮像されて得られた連続フレーム画像の一例であるライブビュー画像（スルー画像）の表示に用いられる。また、表示部２１３は、静止画撮影の指示が与えられた場合に単一フレームで撮像されて得られた単一フレーム画像の一例である静止画像の表示にも用いられる。更に、表示部２１３は、再生モード時の再生画像の表示やメニュー画面等の表示にも用いられる。
【００３７】
図３は第１実施形態に係る撮像装置１００の電気系の構成（内部構成）の一例を示すブロック図である。
【００３８】
撮像装置１００は、カメラ本体２００に備えられたマウント２５６と、マウント２５６に対応する交換レンズ３００側のマウント３４６と、を含む。交換レンズ３００は、マウント２５６にマウント３４６が結合されることによりカメラ本体２００に交換可能に装着される。
【００３９】
交換レンズ３００は、スライド機構３０３及びモータ３０４を含む。スライド機構３０３は、フォーカスリング３０１の操作が行われることでフォーカスレンズ３０２を光軸Ｌ１方向に移動させる。スライド機構３０３には光軸Ｌ１方向に対してスライド可能にフォーカスレンズ３０２が取り付けられている。また、スライド機構３０３にはモータ３０４が接続されており、スライド機構３０３は、モータ３０４の動力を受けてフォーカスレンズ３０２を光軸Ｌ１方向に沿ってスライドさせる。
【００４０】
モータ３０４は、マウント２５６，３４６を介してカメラ本体２００に接続されており、カメラ本体２００からの命令に従って駆動が制御される。なお、本第１実施形態では、モータ３０４の一例として、ステッピングモータを適用している。従って、モータ３０４は、カメラ本体２００からの命令によりパルス電力に同期して動作する。
【００４１】
撮像装置１００は、撮影した静止画像や動画像を記録するデジタルカメラであり、カメラ全体の動作は、ＣＰＵ（central processing unit：中央処理装置）１２によって制御されている。撮像装置１００は、本発明に係る決定部及び制御部の一例であるＣＰＵ１２を含む。また、撮像装置１００は、操作部１４、インタフェース部２４、メモリ２６及びエンコーダ３４を含む。また、撮像部１００は、本発明に係る表示制御部の一例である表示制御部３６Ａ，３６Ｂを含む。また、撮像部１００は、接眼検出部３７を含む。また、撮像装置１００は、本発明に係る画像取得部、感度取得部、補正部及び生成部の一例である画像処理部２８を含む。なお、以下では、表示制御部３６Ａ，３６Ｂを区別して説明する必要がない場合は「表示制御部３６」と称する。また、本第１実施形態では、画像処理部２８とは別のハードウェア構成として表示制御部３６を設けているが、これに限らず、画像処理部２８が表示制御部３６と同様の機能を有するものとしてもよく、この場合、表示制御部３６は不要となる。
【００４２】
ＣＰＵ１２、操作部１４、インタフェース部２４、記憶部の一例であるメモリ２６、画像処理部２８、エンコーダ３４、表示制御部３６Ａ，３６Ｂ、接眼検出部３７及び外部インタフェース（Ｉ／Ｆ）３９は、バス４０を介して相互に接続されている。なお、メモリ２６は、パラメータやプログラムなどが記憶された不揮発性の記憶領域（一例としてＥＥＰＲＯＭなど）と画像などの各種情報が一時的に記憶される揮発性の記憶領域（一例としてＳＤＲＡＭなど）とを有する。
【００４３】
なお、本第１実施形態に係る撮像装置１００では、ＣＰＵ１２が、撮像によって得られた画像のコントラスト値が最大となるように焦点調整モータを駆動制御することによって合焦制御を行う。また、ＣＰＵ１２は、撮像によって得られた画像の明るさを示す物理量であるＡＥ情報を算出する。ＣＰＵ１２は、レリーズボタン２１１が半押し状態とされたときには、ＡＥ情報により示される画像の明るさに応じたシャッタースピード及びＦ値を導出する。そして、導出したシャッタースピード及びＦ値となるように関係各部を制御することによって露出状態の設定を行う。
【００４４】
操作部１４は、撮像装置１００に対して各種指示を与える際に操作者によって操作されるユーザインタフェースである。操作部１４によって受け付けられた各種指示は操作信号としてＣＰＵ１２に出力され、ＣＰＵ１２は、操作部１４から入力された操作信号に応じた処理を実行する。
【００４５】
操作部１４は、レリーズボタン２１１、撮影モード等を選択するフォーカスモード切替え部２１２、表示部２１３、ファインダー切替えレバー２１４、十字キー２２２、ＭＥＮＵ／ＯＫキー２２４及びＢＡＣＫ／ＤＩＳＰボタン２２５を含む。また、操作部１４は、各種情報を受け付けるタッチパネルも含む。このタッチパネルは、例えば表示部２１３の表示画面に重ねられている。
【００４６】
カメラ本体２００は、位置検出部２３を含む。位置検出部２３は、ＣＰＵ１２に接続されている。位置検出部２３は、マウント２５６，３４６を介してフォーカスリング３０１に接続されており、フォーカスリング３０１の回転角度を検出し、検出結果である回転角度を示す回転角度情報をＣＰＵ１２に出力する。ＣＰＵ１２は、位置検出部２３から入力された回転角度情報に応じた処理を実行する。
【００４７】
撮影モードが設定されると、被写体を示す画像光は、手動操作により移動可能なフォーカスレンズ３０２を含む撮影レンズ１６及びシャッタ１８を介してカラーの撮像素子（一例としてＣＭＯＳセンサ）２０の受光面に結像される。撮像素子２０に蓄積された信号電荷は、デバイス制御部２２から加えられる読出し信号によって信号電荷（電圧）に応じたデジタル信号として順次読み出される。撮像素子２０は、いわゆる電子シャッタ機能を有しており、電子シャッタ機能を働かせることで、読出し信号のタイミングによって各フォトセンサの電荷蓄積時間（シャッタスピード）を制御する。なお、本第１実施形態に係る撮像素子２０は、ＣＭＯＳ型のイメージセンサであるが、これに限らず、ＣＣＤイメージセンサでもよい。
【００４８】
撮像素子２０には一例として図４に示すカラーフィルタ２１が設けられている。図４にはカラーフィルタ２１の配列の一例が模式的に示されている。なお、図４に示す例では、画素数の一例として（４８９６×３２６４）画素を採用し、アスペクト比として３：２を採用しているが、画素数及びアスペクト比はこれに限られるものではない。一例として図４に示すように、カラーフィルタ２１は、輝度信号を得るために最も寄与するＧ（緑）に対応する第１のフィルタＧ、Ｒ（赤）に対応する第２のフィルタＲ及びＢ（青）に対応する第３のフィルタＢを含む。第１のフィルタＧ（以下、Ｇフィルタと称する）、第２のフィルタＲ（以下、Ｒフィルタと称する）及び第３のフィルタＢ（以下、Ｂフィルタと称する）の配列パターンは、第１の配列パターンＡと第２の配列パターンＢとに分類される。
【００４９】
第１の配列パターンＡにおいて、Ｇフィルタは、３×３画素の正方配列の四隅及び中央の画素上に配置されている。第１の配列パターンＡにおいて、Ｒフィルタは、正方配列の行方向（例えば水平方向）における中央の垂直ライン上に配置されている。第１の配列パターンＡにおいて、Ｂフィルタは、正方配列の列方向（例えば垂直方向）における中央の水平ライン上に配置されている。第２の配列パターンＢは、第１の基本配列パターンＡとフィルタＧの配置が同一で且つフィルタＲの配置とフィルタＢの配置とを入れ替えたパターンである。カラーフィルタ２１は、６×６画素に対応する正方配列パターンからなる基本配列パターンＣを含む。基本配列パターンＣは、第１の配列パターンＡと第２の配列パターンＢとが点対称で配置された６×６画素のパターンであり、基本配列パターンＣが行方向及び列方向に繰り返し配置されている。すなわち、カラーフィルタ２１では、Ｒ，Ｇ，Ｂの各色のフィルタ（Ｒフィルタ、Ｇフィルタ及びＢフィルタ）が所定の周期性をもって配列されている。そのため、カラー撮像素子から読み出されるＲ，Ｇ，Ｂ信号の同時化（補間）処理等を行う際に、繰り返しパターンにしたがって処理を行うことができる。
【００５０】
また、基本配列パターンＣの単位で間引き処理して画像を縮小する場合、間引き処理した縮小画像のカラーフィルタ配列は、間引き処理前のカラーフィルタ配列と同じにすることができ、共通の処理回路を使用することができる。
【００５１】
カラーフィルタ２１は、輝度信号を得るために最も寄与する色（本第１実施形態では、Ｇの色）に対応するＧフィルタが、カラーフィルタ配列の行方向、列方向、及び斜め方向の各ライン内に配置されている。そのため、高周波となる方向によらず高周波領域での同時化処理の再現精度を向上させることができる。
【００５２】
カラーフィルタ２１は、上記Ｇの色以外の２色以上の他の色（本第１実施形態では、Ｒ，Ｂの色）に対応するＲフィルタ及びＢフィルタが、カラーフィルタ配列の行方向及び列方向の各ライン内に配置されている。そのため、色モワレ（偽色）の発生が抑制され、これにより、偽色の発生を抑制するための光学ローパスフィルタを光学系の入射面から撮像面までの光路に配置しないようにすることができる。また、光学ローパスフィルタを適用する場合でも、偽色の発生を防止するための高周波数成分をカットする働きの弱いものを適用することができ、解像度を損なわないようにすることができる。
【００５３】
基本配列パターンＣは、破線の枠で囲んだ３×３画素の第１の配列パターンＡと、一点鎖線の枠で囲んだ３×３画素の第２の配列パターンＢとが、行方向、列方向に交互に並べられた配列となっていると捉えることもできる。
【００５４】
第１の配列パターンＡ及び第２の配列パターンＢは、それぞれ輝度系画素であるＧフィルタが４隅と中央に配置され、両対角線上に配置されている。また、第１の配列パターンＡは、中央のＧフィルタを挟んでＢフィルタが水平方向に配列され、Ｒフィルタが列方向に配列される。一方、第２の配列パターンＢは、中央のＧフィルタを挟んでＲフィルタが行方向に配列され、Ｂフィルタが列方向に配列されている。すなわち、第１の配列パターンＡと第２の配列パターンＢとは、ＲフィルタとＢフィルタとの位置関係が逆転しているが、その他の配置は同様になっている。
【００５５】
撮像装置１００は、位相差ＡＦ機能を有する。撮像素子２０は、位相差ＡＦ機能を働かせた場合に用いられる複数の位相差検出用の画素を含む。複数の位相差検出用の画素は予め定めたパターンで配置されている。一例として図５に示すように、位相差検出用の画素は、行方向の左半分の画素が遮光された第１の画素Ｌ及び行方向の右半分の画素が遮光された第２の画素Ｒの何れかである。なお、以下では、第１の画素Ｌ及び第２の画素Ｒを区別して説明する必要がない場合は「位相差画素」と称する。
【００５６】
一例として図６に示すように、第１の画素Ｌは遮光部材２０Ａを有し、第２の画素Ｒは遮光部材２０Ｂを有する。遮光部材２０Ａは、フォトダイオードＰＤの前面側（マイクロレンズ１９側）に設けられており、受光面の左半分（受光面から被写体を臨む場合の左側（換言すると、被写体から受光面を臨む場合の右側））を遮光する。一方、遮光部材２０Ｂは、フォトダイオードＰＤの前面側に設けられており、受光面の右半分（受光面から被写体を臨む場合の右側（換言すると、被写体から被写体を臨む場合の左側））を遮光する。
【００５７】
マイクロレンズ１９及び遮光部材２０Ａ，２０Ｂは瞳分割部として機能し、第１の画素Ｌは、撮影レンズ１６の射出瞳を通過する光束の光軸の左側のみを受光し、第２の画素Ｒは、撮影レンズ１６の射出瞳を通過する光束の光軸の右側のみを受光する。このように、射出瞳を通過する光束は、瞳分割部であるマイクロレンズ１９及び遮光部材２０Ａ，２０Ｂにより左右に分割され、それぞれ第１の画素Ｌおよび第２の画素Ｒに入射する。
【００５８】
また、撮影レンズ１６の射出瞳を通過する光束のうちの左半分の光束に対応する被写体像と、右半分の光束に対応する被写体像のうち、ピントが合っている（合焦状態である）部分は、撮像素子２０上の同じ位置に結像する。これに対し、前ピン又は後ピンの部分は、それぞれ撮像素子２０上の異なる位置に入射する（位相がずれる）。これにより、左半分の光束に対応する被写体像と右半分の光束に対応する被写体像とは、視差が異なる視差画像（後述する左眼画像及び右眼画像）として取得することができる。
【００５９】
撮像装置１００は、位相差ＡＦ機能を働かせることにより、第１の画素Ｌの画素値と第２の画素Ｒの画素値とに基づいて位相のずれ量を検出する。そして、検出した位相のずれ量に基づいて撮影レンズの焦点位置を調整する。なお、以下では、遮光部材２０Ａ，２０Ｂを区別して説明する必要がない場合は符号を付さずに「遮光部材」と称する。
【００６０】
撮像素子２０は、第１の画素群、第２の画素群及び第３の画素群に分類される。第１の画素群とは、例えば複数の第１の画素Ｌを指す。第２の画素群とは、例えば複数の第２の画素Ｒを指す。第３の画素群とは、例えば複数の通常画素（第３の画素の一例）を指す。ここで言う「通常画素」とは、例えば位相差画素以外の画素（例えば遮光部材を有しない画素）を指す。なお、以下では、第１の画素群から出力されるＲＡＷ画像を「第１の画像」と称し、第２の画素群から出力されるＲＡＷ画像を「第２の画像」と称し、第３の画素群から出力されるＲＡＷ画像を「第３の画像」と称する。
【００６１】
第１及び第２の画素群に含まれる各画素は、第１の画素群と第２の画素群との間で行方向についての位置が１画素内で揃う位置に配置されている。また、第１及び第２の画素群に含まれる各画素は、第１の画素群と第２の画素群との間で列方向についての位置も１画素内で揃う位置に配置されている。図５に示す例では、行方向及び列方向の各々について直線状に１の画素Ｌと第２の画素Ｒとが複数画素分の間隔を空けて交互に配置されている。
【００６２】
また、図５に示す例では、第１及び第２の画素群に含まれる各画素の位置を行方向及び列方向の各々について１画素内で揃う位置としているが、行方向及び列方向の少なくとも一方について所定画素数内（例えば２画素以内）に収まる位置としてもよい。なお、ピントずれ以外の要因で画像ずれが発生するのを最大限に抑制するためには、一例として図５に示すように第１及び第２の画素群に含まれる各画素の位置を行方向及び列方向の各々について１画素内で揃う位置とすることが好ましい。
【００６３】
位相差画素は、一例として図５に示すように、２×２画素に対応する正方配列のＧフィルタの画素に対して設けられている。すなわち、図５に示す例では、２×２画素のＧフィルタの図中正面視右上角の画素が位相差画素に対して割り当てられている。また、位相差画素間には通常画素が配置されており、２×２画素のＧフィルタの残りの画素が通常画素に対して割り当てられる。また、図５に示す例では、行方向に第１の画素Ｌと第２の画素Ｒとが交互に配置された位相差画素の行は２行単位で一組とされており、各組が列方向に所定画素数（図５に示す例では８画素）分の間隔を空けて配置されている。
【００６４】
このように、カラーフィルタ２１では、２×２画素のＧフィルタの右上角部の画素に対して遮光部材が設けられており、列方向及び行方向ともに複数画素分の間隔を空けて位相差画素が規則的に配置されている。このため、位相差画素の周囲に通常画素が比較的多く配置されるので、通常画素の画素値から位相差画素の画素値を補間する場合における補間精度を向上させることができる。しかも、位相差画素間で補間に利用する通常画素が重複しないように第１〜第３の画素群に含まれる各画素が配置されているので、補間精度のより一層の向上が期待できる。
【００６５】
図３に戻って、撮像素子２０は、第１の画素群から第１の画像（各第１の画素Ｌの画素値を示すデジタル信号）を出力し、第２の画素群から第２の画像（各第２の画素Ｒの画素値を示すデジタル信号）を出力する。また、撮像素子２０は、第３の画素群から第３の画像（各通常画素の画素値を示すデジタル信号）を出力する。なお、第３の画素群から出力される第３の画像は有彩色の画像であり、例えば通常画素の配列と同じカラー配列のカラー画像である。撮像素子２０から出力された第１の画像、第２の画像及び第３の画像は、インタフェース部２４を介してメモリ２６における揮発性の記憶領域に一時記憶される。
【００６６】
画像処理部２８は、メモリ２６に記憶されている第１〜第３の画像に対して各種の画像処理を施す。画像処理部２８は、一例として図７に示すように、画像取得部２８Ａ、感度取得部２８Ｂ、補正部２８Ｃ及び生成部２８Ｄを含む。画像処理部２８は、画像処理に係る複数の機能の回路を１つにまとめた集積回路であるＡＳＩＣ（Application Specific Integrated Circuit）により実現される。但し、ハードウェア構成はこれに限定されるものではなく、例えばプログラマブルロジックデバイスや、ＣＰＵ、ＲＯＭ及びＲＡＭを含むコンピュータなどの他のハードウェア構成であっても良い。
【００６７】
画像取得部２８Ａは、撮像素子２０から出力された第１の画像及び第２の画像を取得する。感度取得部２８Ｂは、第１の画素群における瞳分割方向の画素の第１の領域を介して入射される光に対する感度を取得する。また、感度取得部２８Ｂは、第２の画素群における瞳分割方向の画素の第１の領域を介して入射される光に対する感度を取得する。ここで、「瞳分割方向の画素」とは、瞳分割方向に配列された複数の画素の各々を指す。
【００６８】
補正部２８Ｃは、感度取得部２８Ｂにより取得された感度に基づいて第１の画像及び第２の画像の各々に対して直線近似した感度補正係数を求め、求めた感度補正係数に基づいて第１及び第２の画像の輝度を補正する。なお、本第１実施形態では、感度補正係数として、第１及び第２の画素群の各々の瞳分割方向の中央部に含まれる対応する画素間の感度差を瞳分割方向の両端部に含まれる対応する画素間の感度差よりも小さくする感度変化の直線的な傾向を示す感度補正係数を採用しているが、本発明はこれに限定されるものではなく、少なくとも第１及び第２の画素群の各々の瞳分割方向の画素の感度が補正後に目標とする感度に補正前よりも近付く感度補正係数であればよい。
【００６９】
なお、ここで言う「対応する画素」とは、例えば第１の画素群の瞳分割方向の位置と第２の画素群の瞳分割方向の位置とが一致する画素のことを指す。また、ここで言う「中央部」とは、例えば第１及び第２の画素群の各々の瞳分割方向の中央を中心とした瞳分割方向の画素数の半分に相当する画素数の範囲を指し、「両端部」とは、例えば第１及び第２の画素群の各々の瞳分割方向の中央部以外の部位を指す。また、「中央部に含まれる対応する画素間の感度差」とは、例えば第１及び第２の画素群の各々の瞳分割方向の中央部に含まれる代表位置（例えば瞳分割方向の中央）における画素間の感度差を指す。また、「両端部に含まれる対応する画素間の感度差」とは、例えば第１及び第２の画素群の各々の瞳分割方向の中央部に含まれる代表位置（例えば瞳分割方向の両端の各々）における画素間の感度差を指す。
【００７０】
生成部２８Ｄは、撮像素子２０から出力された第３の画像に基づいて第１の表示用画像を生成し、かつ、補正部２８Ｂにより補正された第１及び第２の画像に基づいて合焦確認に使用する第２の表示用画像を生成する。生成部２８Ｄは、一例として図８に示すように、通常処理部３０及びスプリットイメージ処理部３２を含む。通常処理部３０は、第３の画素群に対応するＲ，Ｇ，Ｂ信号を処理することで第１の表示用画像の一例である有彩色の通常画像を生成する。また、スプリットイメージ処理部３２は、第１の画素群及び第２の画素群に対応するＧ信号を処理することで第２の表示用画像の一例である無彩色のスプリットイメージを生成する。
【００７１】
図３に戻って、エンコーダ３４は、入力された信号を別の形式の信号に変換して出力する。ハイブリッドファインダー２２０は、電子像を表示するＬＣＤ２４７を有する。ＬＣＤ２４７における所定方向の画素数（一例として視差発生方向である行方向の画素数）は、表示部２１３における同方向の画素数よりも少ない。表示制御部３６Ａは表示部２１３に、表示制御分３６ＢはＬＣＤ２４７に各々接続されており、ＬＣＤ２４７及び表示部２１３が選択的に制御されることによりＬＣＤ２４７又は表示部２１３により画像が表示される。なお、以下では、表示部２１３及びＬＣＤ２４７を区別して説明する必要がない場合は「表示装置」と称する。
【００７２】
なお、本第１実施形態に係る撮像装置１００は、ダイヤル２１２（フォーカスモード切替え部）によりマニュアルフォーカスモードとオートフォーカスモードとを切り替え可能に構成されている。何れかのフォーカスモードが選択されると、表示制御部３６は、スプリットイメージが合成されたライブビュー画像を表示装置に表示させる。また、ダイヤル２１２によりオートフォーカスモードが選択されると、ＣＰＵ１２は、位相差検出部及び自動焦点調整部として動作する。位相差検出部は、第１の画素群から出力された第１の画像と第２の画素群から出力された第２の画像との位相差を検出する。自動焦点調整部は、検出された位相差に基づいてフォーカスレンズ３０２のデフォーカス量をゼロにするように、デバイス制御部２２からマウント２５６，３４６を介してモータ３０４を制御し、フォーカスレンズ３０２を合焦位置に移動させる。なお、上記の「デフォーカス量」とは、例えば第１の画像及び第２の画像の位相ずれ量を指す。
【００７３】
接眼検出部３７は、人（例えば撮影者）がファインダー接眼部２４２を覗き込んだことを検出し、検出結果をＣＰＵ１２に出力する。従って、ＣＰＵ１２は、接眼検出部３７での検出結果に基づいてファインダー接眼部２４２が使用されているか否かを把握することができる。
【００７４】
外部Ｉ／Ｆ３９は、ＬＡＮ（Local Area Network）やインターネットなどの通信網に接続され、通信網を介して、外部装置（例えばプリンタ）とＣＰＵ１２との間の各種情報の送受信を司る。従って、撮像装置１００は、外部装置としてプリンタが接続されている場合、撮影した静止画像をプリンタに出力して印刷させることができる。また、撮像装置１００は、外部装置としてディスプレイが接続されている場合は、撮影した静止画像やライブビュー画像をディスプレイに出力して表示させることができる。
【００７５】
図９は第１実施形態に係る撮像装置１００の要部機能の一例を示す機能ブロック図である。なお、図３に示すブロック図と共通する部分には同一の符号が付されている。
【００７６】
通常処理部３０及びスプリットイメージ処理部３２は、それぞれＷＢゲイン部、ガンマ補正部及び同時化処理部を有し（図示省略）、メモリ２６に一時記憶された元のデジタル信号（ＲＡＷ画像）に対して各処理部で順次信号処理を行う。すなわち、ＷＢゲイン部は、Ｒ，Ｇ，Ｂ信号のゲインを調整することによりホワイトバランス（ＷＢ）を実行する。ガンマ補正部は、ＷＢゲイン部でＷＢが実行された各Ｒ，Ｇ，Ｂ信号をガンマ補正する。同時化処理部は、撮像素子２０のカラーフィルタの配列に対応した色補間処理を行い、同時化したＲ，Ｇ，Ｂ信号を生成する。なお、通常処理部３０及びスプリットイメージ処理部３２は、撮像素子２０により１画面分のＲＡＷ画像が取得される毎に、そのＲＡＷ画像に対して並列に画像処理を行う。
【００７７】
通常処理部３０は、インタフェース部２４からＲ，Ｇ，ＢのＲＡＷ画像が入力され、第３の画素群のＲ，Ｇ，Ｂ画素を、一例として図１０に示すように、第１の画素群及び第２の画素群のうちの同色の周辺画素（例えば隣接するＧ画素）により補間して生成する。これにより、第３の画素群から出力された第３の画像に基づいて記録用の通常画像を生成することができる。
【００７８】
また、通常処理部３０は、生成した記録用の通常画像の画像データをエンコーダ３４に出力する。通常処理部３０により処理されたＲ，Ｇ，Ｂ信号は、エンコーダ３４により記録用の信号に変換（エンコーディング）され、記録部４０に記録される。また、通常処理部３０により処理された第３の画像に基づく画像である表示用の通常画像は、表示制御部３６に出力される。なお、以下では、説明の便宜上、上記の「記録用の通常画像」及び「表示用の通常画像」を区別して説明する必要がない場合は「記録用の」との文言及び「表示用の」との文言を省略して「通常画像」と称する。
【００７９】
撮像素子２０は、第１の画素群及び第２の画素群の各々の露出条件（一例として電子シャッタによるシャッタ速度）を変えることができ、これにより露出条件の異なる画像を同時に取得することができる。従って、画像処理部２８は、露出条件の異なる画像に基づいて広ダイナミックレンジの画像を生成することができる。また、同じ露出条件で複数の画像を同時に取得することができ、これら画像を加算することによりノイズの少ない高感度の画像を生成し、あるいは高解像度の画像を生成することができる。
【００８０】
一方、スプリットイメージ処理部３２は、メモリ２６に一旦記憶されたＲＡＷ画像から第１の画素群及び第２の画素群のＧ信号を抽出し、第１の画素群及び第２の画素群のＧ信号に基づいて無彩色のスプリットイメージを生成する。ＲＡＷ画像から抽出される第１の画素群及び第２の画素群の各々に相当する画素群は、上述したようにＧフィルタの画素による画素群である。そのため、スプリットイメージ処理部３２は、第１の画素群及び第２の画素群の各々に相当する画素群のＧ信号に基づいて、無彩色の左の視差画像及び無彩色の右の視差画像を生成することができる。なお、以下では、説明の便宜上、上記の「無彩色の左の視差画像」を「左眼画像」と称し、上記の「無彩色の右の視差画像」を「右眼画像」と称する。
【００８１】
スプリットイメージ処理部３２は、第１の画素群から出力された第１の画像に基づく左眼画像と、第２の画素群から出力された第２の画像に基づく右眼画像とを合成することによりスプリットイメージを生成する。生成したスプリットイメージの画像データは表示制御部３６に出力される。
【００８２】
表示制御部３６は、通常処理部３０から入力された第３の画素群に対応する表示用の画像データと、スプリットイメージ処理部３２から入力された第１、第２の画素群に対応するスプリットイメージの画像データとに基づいて表示用の画像データを生成する。例えば、表示制御部３６は、通常処理部３０から入力された第３の画素群に対応する画像データにより示される通常画像の表示領域内に、スプリットイメージ処理部３２から入力された画像データにより示されるスプリットイメージを合成する。そして、合成して得た画像データを表示装置に出力する。すなわち、表示制御部３６Ａは、画像データを表示部２１３に出力し、表示制御部３６Ｂは画像データをＬＣＤ２４７に出力することにより、表示装置に対して、通常画像を動画像として連続して表示させ、かつ、通常画像の表示領域内に、スプリットイメージを動画像として連続して表示させる。
【００８３】
なお、本第１実施形態では、通常画像の表示領域内にスプリットイメージを合成する例を挙げて説明しているが、これに限らず、表示制御部３６は、ライブビュー表示の際に、表示装置に対して、通常画像とスプリットイメージとを同期させて重畳表示させるようにしてもよい。この場合も、表示制御部３６は、表示装置に対して、通常画像を動画像として連続して表示させ、かつ、スプリットイメージを動画像として連続して表示させる。
【００８４】
スプリットイメージ処理部３２により生成されるスプリットイメージは、左眼画像の一部と右眼画像の一部とを合成した複数分割の画像である。ここで言う「複数分割の画像」としては、例えば図１１Ａ，図１１Ｂに示すスプリットイメージが挙げられる。図１１に示すスプリットイメージは、左眼画像のうちの上半分の画像と右眼画像のうちの下半分の画像とを合成した画像であって、上下方向に２分割された画像間が合焦状態に応じて所定方向（例えば視差発生方向）にずれた画像である。なお、スプリットイメージの態様は図１１Ａ，図１１Ｂに示す例に限定されるものではなく、表示部２１３の所定領域の位置に対応する位置の左眼画像の一部と右眼画像の一部とを合成した画像であってもよい。この場合、例えば上下方向に４分割された画像間が合焦状態に応じて所定方向（例えば視差発生方向）にずれる。
【００８５】
通常画像にスプリットイメージを合成する方法は、通常画像の一部の画像に代えて、スプリットイメージを嵌め込む合成方法に限定されない。例えば、通常画像の上にスプリットイメージを重畳させる合成方法であってもよい。また、スプリットイメージを重畳する際に、スプリットイメージが重畳される通常画像の一部の画像とスプリットイメージとの透過率を適宜調整して重畳させる合成方法であってもよい。これにより、連続的に撮影している被写体像を示すライブビュー画像が表示装置の画面上に表示されるが、表示されるライブビュー画像は、通常画像の表示領域内にスプリットイメージが表示された画像となる。
【００８６】
ハイブリッドファインダー２２０は、ＯＶＦ２４０及びＥＶＦ２４８を含む。ＯＶＦ２４０は、対物レンズ２４４と接眼レンズ２４６とを有する逆ガリレオ式ファインダーであり、ＥＶＦ２４８は、ＬＣＤ２４７、プリズム２４５及び接眼レンズ２４６を有する。
【００８７】
また、対物レンズ２４４の前方には、液晶シャッタ２４３が配設されており、液晶シャッタ２４３は、ＥＶＦ２４８を使用する際に、対物レンズ２４４に光学像が入射しないように遮光する。
【００８８】
プリズム２４５は、ＬＣＤ２４７に表示される電子像又は各種の情報を反射させて接眼レンズ２４６に導き、かつ、光学像とＬＣＤ２４７に表示される情報（電子像、各種の情報）とを合成する。
【００８９】
ここで、ファインダー切替えレバー２１４を図１に示す矢印ＳＷ方向に回動させると、回動させる毎にＯＶＦ２４０により光学像を視認することができるＯＶＦモードと、ＥＶＦ２４８により電子像を視認することができるＥＶＦモードとが交互に切り替えられる。
【００９０】
表示制御部３６Ｂは、ＯＶＦモードの場合、液晶シャッタ２４３が非遮光状態になるように制御し、接眼部から光学像が視認できるようにする。また、ＬＣＤ２４７には、スプリットイメージのみを表示させる。これにより、光学像の一部にスプリットイメージが重畳されたファインダー像を表示させることができる。
【００９１】
また、表示制御部３６Ｂは、ＥＶＦモードの場合、液晶シャッタ２４３が遮光状態になるように制御し、接眼部からＬＣＤ２４７に表示される電子像のみが視認できるようにする。なお、ＬＣＤ２４７には、表示部２１３に出力されるスプリットイメージが合成された画像データと同等の画像データが入力され、これにより、表示部２１３と同様に通常画像の一部にスプリットイメージが合成された電子像を表示させることができる。
【００９２】
スプリットイメージは、一例として図１２に示すように、表示装置の画面中央部の矩形枠内に表示され、スプリットイメージの外周領域に通常画像が表示される。なお、図１２に示す矩形枠を表す縁の線は実際には表示されないが、図１２では説明の便宜上示されている。
【００９３】
ところで、撮像装置１００では、一例として図１３に示すように、被写体が撮像される場合に撮影レンズ１６を通過した左眼用光束（左眼画像の生成に寄与する光束）は、第１の画素Ｌに対応するマイクロレンズ１９を通過し、第１の画素Ｌに入射する。しかし、左眼用光束は、第２の画素Ｒに対応するマイクロレンズ１９を通過しても遮光部材２０Ｂによって遮光されるので、第２の画素Ｒに入射しない。一方、撮影レンズ１６を通過した右眼用光束（右眼画像の生成に寄与する光束）は、第２の画素Ｒに対応するマイクロレンズ１９を通過し、第２の画素Ｒに入射する。しかし、右眼用光束は、第１の画素Ｌに対応するマイクロレンズ１９を通過しても遮光部材２０Ａによって遮光されるので、第１の画素Ｌに入射しない。このように画素の半分に対して遮光部材が配置されている上、左眼用光束及び右眼用光束の各々の中心が、撮影レンズ１６の光軸から偏倚しているため、第１の画素群及び第２の画素群の各々では、瞳分割方向の画素位置に応じて減光特性が線形的に変化する。減光特性の変化は、左眼画像及び右眼画像における輝度の変化となって現れる。すなわち、仮に撮影レンズ１６に対して正面から光量が均一な光が入射された場合に得られる左眼画像及び右眼画像の左右方向（瞳分割方向に相当する方向）の輝度は画素位置に応じて線形的に変化することとなる。例えば、図１４に示すように、左眼画像は、右方向の画素位置ほど輝度が小さくなり、右眼画像は、左方向の画素位置ほど輝度が小さくなる。左眼画像及び右眼画像の各輝度の左右の相反する方向への線形的な変化は、スプリットイメージの画質に対しても影響を及ぼす。
【００９４】
そこで、本第１実施形態に係る撮像装置１００では、画像処理部２８が、一例として図１５に示す画像出力処理を行う。以下では、画像処理部２８によって行われる画像出力処理について、図１５を参照して説明する。なお、以下では、画像処理部２８が画像出力処理を行う場合を例示するが、本発明はこれに限定されるものではなく、例えばＣＰＵ１２が画像出力理プログラムを実行することにより撮像装置１００で画像出力処理が行われるものとしてもよい。
【００９５】
図１５において、ステップ４００では、画像取得部２８Ａにより第３の画像が取得され、その後、ステップ４０２へ移行する。ステップ４０２では、生成部２８Ｄにより、ステップ４００で取得された第３の画像に基づく通常画像が生成され、生成された通常画像が所定の記憶領域（例えばメモリ２６）及び表示制御部３６に出力される。
【００９６】
次のステップ４０４では、画像取得部２８Ａにより、第１及び第２の画像が取得され、その後、ステップ４０６へ移行する。
【００９７】
ステップ４０６では、補正部２８Ｃにより、第１の画像及び第２の画像の各々についての感度補正係数がメモリ２６に記憶されているか否かが判定される。ステップ４０６において、第１の画像及び第２の画像の各々についての感度補正係数がメモリ２６に記憶されている場合は、判定が肯定されてステップ４０８へ移行する。ステップ４０６において、第１の画像及び第２の画像の各々についての感度補正係数がメモリ２６に記憶されていない場合は、判定が否定されてステップ４１０へ移行する。
【００９８】
ステップ４１０では、画像処理部２８により、一例として図１６に示す感度補正係数取得処理４１０が行われ、その後、ステップ４０８へ移行する。
【００９９】
図１６に示す感度補正係数取得処理では、先ず、ステップ４１０Ａにおいて、感度取得部２８Ｂにより、第１及び第２の画素群のうち、画素の感度の取得対象とされる画素群（注目画素群）が設定され、その後、ステップ４１０Ｂへ移行する。なお、注目画素群としては、第１及び第２の画素群のうち、未だに後述のステップ４１０Ｂ〜４１０Ｇの処理対象とされていない画素群が該当する。
【０１００】
ステップ４１０Ｂでは、感度取得部２８Ｂにより、ステップ４１０Ａで設定された注目画素群の注目行（例えば注目画素群の中央点を通る１行）が設定され、その後、ステップ４１０Ｃへ移行する。
【０１０１】
ステップ４１０Ｃでは、感度取得部２８Ｂにより、ステップ４１０Ｂで設定された注目行の中央部に含まれる複数の画素の感度が取得され、その後、ステップ４１０Ｄへ移行する。
【０１０２】
ステップ４１０Ｄでは、補正部２８Ｃにより、ステップ４１０Ｃで取得された感度に基づいて注目行の中央部に含まれる画素毎の感度比が算出され、その後、ステップ４１０Ｅへ移行する。ここで、「感度比」とは、目標感度に対する実測感度（ステップ４１０Ｃで取得された感度）の割合を指す。なお、本第１実施形態では、目標感度の一例として“１．０”を採用している。
【０１０３】
ステップ４１０Ｅでは、補正部２８Ｃにより、ステップ４１０Ｄで算出された感度比に基づいて、注目行の中央部に含まれる複数の画素の感度についての近似直線が導出され、その後、ステップ４１０Ｆへ移行する。
【０１０４】
ステップ４１０Ｅの処理が補正部２８Ｃによって行われると、一例として図１７に示すように、第１感度比曲線（太線で示した曲線）Ｐ１について、一点鎖線で示す第１近似直線α１が導出される。また、一例として図１７に示すように、第２感度比曲線（細線で示した曲線）Ｑ１について、２点鎖線で示す第２近似直線α２が導出される。
【０１０５】
第１感度比曲線Ｐ１は、第１の画素群の注目行に含まれる画素毎の感度比の分布を示している。第２感度比曲線Ｑ１は、第２の画素群の注目行に含まれる画素毎の感度比の分布を示している。第１近似直線α１は、第１の画素群についてステップ４１０Ｄで算出された注目行の中央部に含まれる各画素に関する感度比の近似直線である。第２近似直線α２は、第２の画素群についてステップ４１０Ｄで算出された注目行の中央部に含まれる各画素に関する感度比の近似直線である。
【０１０６】
なお、本第１実施形態では、第１の画素群の各画素の感度比を補正するにあたって目標とする感度比の一例として、図１７に示す目標感度比Ｙ１が設定されている。また、本第１実施形態では、目標感度比Ｙ１の一例として“１．０”を採用している。
【０１０７】
ステップ４１０Ｆでは、補正部２８Ｃにより、ステップ４１０Ｅで導出された近似直線に基づいて感度補正係数が導出され、その後、ステップ４１０Ｇへ移行する。ここで、感度補正係数とは、注目画素群の各画素の感度を補正することで各画素から出力される輝度を補正するために用いられる感度補正係数のことを意味する。
【０１０８】
ここで、感度補正係数の導出手順の一例を説明する。補正部２８Ｃは、ステップ４１０Ｅで導出された近似直線を目標感度比Ｙ１との距離の２乗和が最小になる直線（以下、「補正用直線」という）に調整し、調整して得た補正用直線の従属変数を感度補正係数として導出する。補正用直線は一次関数であり、この一次関数の傾き及び切片は、ステップ４１０Ｅで導出された下記の数式（１）に示す近似直線（一次関数）の調整後の傾き及び切片に相当する。すなわち、数式（１）に示す近似直線の従属変数Ｚと目標感度比Ｙ１との距離の２乗和Ｓ（一例として下記の数式（２））を最小にする傾きａ及び切片ｂが補正用直線の傾き及び切片として採用される。２乗和Ｓを最小にする傾きａ及び切片ｂとは、例えば下記の数式（３）を解くことによって得られる下記の数式（４）により示される傾きａ及び切片ｂを指す。なお、数式（２）において、“Ｋ”とは目標感度比Ｙ１の値であり、数式（１）〜（３）において、“Ｘｉ”は瞳分割方向の画素の位置の座標値を示し、“ｉ”は“０”以上“ｎ−１”以下の範囲内の整数を示す。
【０１０９】
Ｚ＝ａＸｉ＋ｂ・・・・・（１）
【０１１０】
【数１】
0005889441.tif 000002
【０１１１】
【数２】
0005889441.tif 000003
【０１１２】
【数３】
0005889441.tif 000004
【０１１３】
補正用直線は、数式（４）により示される傾きａ及び傾きｂを数式（１）に当て嵌めて得た一次関数であり、補正用直線の従属変数が感度補正係数として採用される。すなわち、各画素の位置（Ｘｉ）毎に補正用直線の従属変数が感度補正係数として導出される。
【０１１４】
ステップ４１０Ｇでは、補正部２８Ｃにより、注目画素群について、ステップ４１０Ｆで導出された感度補正係数が、注目行に含まれる画素毎にメモリ２６に記憶され、その後、ステップ４１０Ｈへ移行する。
【０１１５】
ステップ４１０Ｈでは、補正部２８Ｃにより、第１及び第２の画素群の各々についてステップ４１０Ａ〜４１０Ｇの処理が行われたか否かが判定される。ステップ４１０Ｈにおいて、第１及び第２の画素群の各々についてステップ４１０Ａ〜４１０Ｇの処理が行われていない場合は、判定が否定されてステップ４１０Ａへ移行する。ステップ４１０Ｈにおいて、第１及び第２の画素群の各々についてステップ４１０Ａ〜４１０Ｇの処理が行われた場合は、判定が肯定されて感度補正係数取得処理を終了する。
【０１１６】
図１５に戻って、ステップ４０８では、補正部２８Ｃにより、第１及び第２の画素群の各々の注目行についてメモリ２６に記憶されている感度補正係数に基づいて、ステップ４０４で取得された第１及び第２の画像の輝度が補正される。すなわち、補正部２８Ｃは、第１の画素群の注目行に含まれる画素毎の感度補正係数を、第１の画素群の行毎における対応する画素の感度に乗じることで第１の画像の輝度を補正する。また、第２の画素群の注目行に含まれる画素毎の感度補正係数を、第２の画素群の行毎における対応する画素の感度に乗じることで第２の画像の輝度を補正する。
【０１１７】
ステップ４０８の処理が補正部２８Ｃによって行われると、第１の画素群の各画素の感度比が行単位で補正され、図１７に示す第１感度比曲線Ｐ１が一例として図１８に示すように第１感度比曲線Ｐ２（太線の曲線）に補正される。図１７に示す第１感度比曲線Ｐ１と図１８に示す第１感度比曲線Ｐ２とを比較すると、図１８に示す第１感度比曲線Ｐ２は、図１７に示す第１感度比曲線Ｐ１に比べ、目標感度比Ｙ１に近似している。
【０１１８】
また、ステップ４０８の処理が補正部２８Ｃによって行われると、第２の画素群の各画素の感度比が行単位で補正され、図１７に示す第２感度比曲線Ｑ１が一例として図１８に示す第２感度比曲線Ｑ２（細線の曲線）に補正される。図１７に示す第２感度比曲線Ｑ１と図１８に示す第２感度比曲線Ｑ２とを比較すると、図１８に示す第２感度比曲線Ｑ２は、図１７に示す第２感度比曲線Ｑ１に比べ、目標感度比Ｙ１に近似している。
【０１１９】
また、一例として図１８に示す第１感度比曲線Ｐ２及び第２感度比曲線Ｑ２の各々の中央部に含まれる対応する画素間の感度比差は、両端部に含まれる対応する画素間の感度比差よりも小さくなっている。
【０１２０】
また、ステップ４０８では、補正部２８Ｃにより、感度補正係数に基づく輝度の補正が行われて得られた第１及び第２の画像の各々に含まれる全画素の輝度に対して更に所定係数を乗じることで（ゲジタルゲインの調整を行うことで）、第１及び第２の画像の輝度が調整される。
【０１２１】
次のステップ４１２では、生成部２８Ｄにより、ステップ４０８で補正された第１及び第２の画像に基づく左眼画像及び右眼画像が生成され、生成された左眼画像及び右眼画像に基づいてスプリットイメージが生成されて表示制御部３６に出力される。表示制御部３６は、上記ステップ４０２で出力された通常画像及び上記ステップ４１２で出力されたスプリットイメージが入力されると、表示装置に対して通常画像を動画像として連続して表示させ、かつ、通常画像の表示領域内にスプリットイメージを動画像として連続して表示させる制御を行う。
【０１２２】
このように上記ステップ４０２，４１２が生成部２８Ｄにより行われると、一例として図１１Ａ及び図１１Ｂに示すように表示部２１３やハイブリッドファインダー２２０にライブビュー画像が表示される。図１１Ａ及び図１１Ｂに示す例では、一例として図１２に示すスプリットイメージの表示領域に相当する枠６０の内側領域にスプリットイメージが表示されており、通常画像の表示領域に相当する枠６０の外側領域に通常画像が表示されている。
【０１２３】
すなわち、第１及び第２の画素群は、枠６０のサイズに対応して設けられている。スプリットイメージは、第１の画素群から出力された第１の画像に対応する左眼画像おける枠６０の上半分６０Ａの画像（視差画像）と、第２の画素群から出力された第２の画像に対応する右眼画像における枠６０の下半分６０Ｂの画像（視差画像）とに大別される。
【０１２４】
ここで、枠６０内の画像に対応する被写体に対して、撮影レンズ１６のピントが合っていない場合は、図１１Ａに示すようにスプリットイメージの上半分６０Ａの視差画像と、下半分６０Ｂの視差画像との境界の画像が視差発生方向（一例として行方向）にずれる。また、通常画像とスプリットイメージとの境界の画像も視差発生方向にずれる。これは、位相差が生じていることを表しており、撮影者はスプリットイメージを通して視覚的に位相差が生じていること及び視差発生方向を認識することができる。
【０１２５】
一方、枠６０内の画像に対応する被写体に対して、撮影レンズ１６のピントが合っている場合は、図１１Ｂに示すようにスプリットイメージの上半分６０Ａの視差画像と、下半分６０Ｂの視差画像との境界の画像が一致する。また、通常画像とスプリットイメージとの境界の画像も一致する。これは、位相差が生じていないことを表しており、撮影者はスプリットイメージを通して視覚的に位相差が生じていないことを認識することができる。
【０１２６】
このように、撮影者は、表示装置に表示されるスプリットイメージにより撮影レンズ１６の合焦状態を確認することができる。また、マニュアルフォーカスモード時には、フォーカスリング３０１を手動操作することによりピントのずれ量（デフォーカス量）をゼロにすることができる。また、通常画像とスプリットイメージとをそれぞれ色ずれのないカラー画像で表示することができ、撮影者の手動によるフォーカス調整をカラーのスプリットイメージで支援することができる。
【０１２７】
また、第１及び第２の画素群の各々の瞳分割方向に線形的に現れる減光特性は補正部２８Ｃにより画素の感度が補正されることで軽減される。補正部２８Ｃにより画素の感度が補正された場合、一例として図１９に示すように、第１及び第２の画素群の各々の瞳分割方向の画素の線形的な感度変化に起因する右眼画像及び左眼画像の線形的な輝度変化は、画素の感度が補正されない場合に比べ、軽減される。
【０１２８】
以上説明したように、本第１実施形態に係る撮像装置１００では、感度取得部２８Ｂにより、第１及び第２の画素群の各々における瞳分割方向の画素の感度が取得される。そして、補正部２８Ｃにより、感度取得部２８Ｂで取得された感度に基づいて第１の画像及び第２の画像の各々に対して直線近似した感度補正係数が導出され、導出された感度補正係数に基づいて、第１及び第２の画像の輝度が補正される。従って、本第１実施形態に係る撮像装置１００は、本構成を有しない場合に比べ、スプリットイメージの表示のリアルタイム性を簡素な構成で確保することができる。
【０１２９】
また、本第１実施形態に係る撮像装置１００では、感度補正係数として、第１及び第２の画素群の各々の瞳分割方向の中央部に含まれる対応する画素間の感度差を第１及び第２の画素群の各々の瞳分割方向の両端部に含まれる対応する画素間の感度差よりも小さくする感度補正係数を採用している。従って、本第１実施形態に係る撮像装置１００は、簡素な構成で、スプリットイメージの瞳分割方向に相当する方向の中央部に含まれる画素間の輝度差を両端部の輝度差よりも軽減することができる。
【０１３０】
また、本第１実施形態に係る撮像装置１００では、注目行の中央部に含まれる複数の画素の感度が感度取得部２８Ｂによって取得され、取得された感度に基づいて補正部２８Ｃにより感度補正係数が導出される。従って、本第１実施形態に係る撮像装置１００は、注目行の中央部に含まれる画素の感度を取得しない場合に比べ、スプリットイメージの中央部の輝度を高精度に補正することができる。
【０１３１】
なお、上記第１実施形態では、感度取得部２８Ｂが、注目行の中央部に含まれる画素の感度を取得し、補正部２８Ｃが、取得された感度に関する感度比に基づいて近似直線を導出する場合について説明したが、本発明はこれに限定されるものではない。例えば、感度取得部２８Ｂが、注目行の中央部に含まれる画素の感度に加え、注目行の両端部に含まれる画素の感度も取得し、補正部２８Ｃが、取得された感度に関する感度比に基づいて近似直線を導出してもよい。但し、この場合、注目行の両端部に含まれる画素のうちの感度取得対象とされる画素は、注目行の中央部の補正後の感度比差が注目行の両端部の補正後の感度比差以上にならない数及び位置の画素とする。なお、感度取得対象とされる画素の数及び位置は、例えば注目行の中央部の補正後の感度比差が注目行の両端部の感度比差以上にならない数及び位置を特定するための実験やシミュレーション等によって得られた結果に基づいて定められる。
【０１３２】
また、上記第１実施形態では、第１及び第２の画素群の各行の減光特性が同一であることを前提にして特定の１行に含まれる各画素の感度に基づいて感度補正係数を求め、求めた感度補正係数を各行に含まれる画素の感度の補正に用いたが、本発明はこれに限定されない。例えば、第１及び第２の画素群の各々の全ての行の各々に含まれる各画素について感度補正係数を求め、求めた感度補正係数を、対応する行に含まれる画素のうちの対応する画素の感度の補正に用いてもよい。また、例えば、第１及び第２の画素群の各々の所定の行数おきに各行に含まれる各画素について感度補正係数を求め、求めた感度補正係数を、対応する行及び近隣の行の各々に含まれる画素のうちの対応する画素の感度の補正に用いてもよい。
【０１３３】
また、上記第１実施形態では、メモリ４４に感度補正係数が記憶されていない場合に感度補正係数取得処理が行われる場合を例示したが、本発明はこれに限定されるものではない。例えば、所定条件を満足した場合に図１６に示す感度補正係数取得処理が行われることによって感度補正係数が更新されるようにしてもよい。所定条件としては、例えば操作部１４を介して感度補正係数を更新する指示が入力された、という条件が挙げられる。その他にも例えば撮像装置１００のメンテナンスを行う時期として予め定められた時期が到来した、という条件が挙げられる。
【０１３４】
［第２実施形態］
上記第１実施形態では、補正部１８Ｃが、撮像装置１００の絞り値を無視して導出した感度補正係数に基づいて画像の輝度を補正する場合を例示したが、本第２実施形態では、絞り値に応じて導出される感度補正係数に基づいて画像の輝度を補正する場合について説明する。なお、本第２実施形態では、上記第１実施形態で説明した構成要素には同一の符号を付し、説明を省略する。
【０１３５】
図１に示す第２実施形態に係る撮像装置１００Ａは、上記第１実施形態に係る撮像装置１００と比較して、一例として図１５に示すように、画像出力処理のステップ４１０に代えてステップ４２０を設けた点が異なっている。また、撮像装置１００Ａは、上記第１実施形態に係る撮像装置１００と比較して、予め定められた複数の絞り値（ここでは一例としてＦ値）の各々に対して固有の基準感度が対応付けられている点が異なっている。複数の絞り値の各々に対して異なる基準感度を対応付けたのは、絞り値によって異なる感度変化の傾向に応じた感度補正係数を導出するためである。
【０１３６】
例えば予め定められた複数の絞り値がＦ２．０及びＦ５．６の場合、一例として図２１及び図２２に示すように、Ｆ２．０の場合の第１近似直線α１及び第２近似直線α２の傾きとＦ５．６の場合の第１近似直線α１及び第２近似直線α２の傾きとは異なる。すなわち、Ｆ５．６の場合の第１近似直線α１及び第２近似直線α２の傾きは、Ｆ２．０の場合の第１近似直線α１及び第２近似直線α２の傾きと比較して、急峻である（傾きの絶対値が大きい）。従って、第１及び第２の画素群の各々の瞳分割方向の画素の補正後の感度比の傾向も異なる。図２１及び図２２に示す例では、Ｆ５．６の場合の第１及び第２の画素群の各々の瞳分割方向の画素の補正後の感度比は、Ｆ２．０の場合と比較して、瞳分割方向の両端部に含まれる画素位置において目標感度比Ｙ１からの乖離度が大きい。ここで言う「乖離度が大きい」とは、換言すると、目標感度比Ｙ１から上に凸となっている度合いが大きい（盛り上がりが大きい）ということである。
【０１３７】
そこで、本第２実施形態では、Ｆ５．６の場合に感度比の算出で用いる目標感度の値の一例として、Ｆ２．０の場合に感度比の算出で用いる目標感度よりも大きな値を採用している。従って、Ｆ５．６の場合の目標感度比Ｙ１の値は、Ｆ２．０の場合の目標感度比Ｙ１の値よりも小さくなる。なお、本第２実施形態では、目標感度として“１．１８６”を採用しているため、Ｆ５．６の場合の目標感度比Ｙ１の値の一例として“０．８４３”（＝１．０／１．１８６）を採用している。
【０１３８】
図１５に示す画像出力処理では、ステップ４２０において、画像処理部２８により、一例として図２０に示す感度補正係数取得処理が行われ、その後、ステップ４０８へ移行する。
【０１３９】
図２０に示す感度補正係数取得処理は、上記第１実施形態で説明した図１６に示す感度補正係数取得処理と比較して、ステップ４１０Ｄに代えてステップ４２０Ａを設けた点が異なっている。
【０１４０】
図２０に示す感度補正係数取得処理では、ステップ４２０Ａにおいて、補正部２８Ｃにより、予め定められた複数の絞り値のうち現在設定されている絞り値に応じた目標感度を用いて、注目行の中央部に含まれる各画素に関する感度比が算出される。例えば、現在設定されている絞り値がＦ５．６の場合、目標感度として“１．１８６”を用いて感度比が算出される。
【０１４１】
このようにして算出された感度比に基づいて感度補正係数が導出され、導出された感度補正係数に基づいて注目行に含まれる各画素の感度比が補正されると、一例として図２３に示すように両端部に含まれる各画素の感度比の目標感度比Ｙ１からの乖離が抑制される。
【０１４２】
従って、本第２実施形態に係る撮像装置１００Ａは、絞り値に応じて感度補正係数を導出しない場合に比べ、スプリットイメージの瞳分割方向に相当する方向の両端部に含まれる画素の輝度が目標とする輝度から絞り値に起因して乖離することを抑制することをできる。
【０１４３】
なお、上記第２実施形態では、現在設定されている絞り値に応じて目標感度を変更する場合を例示したが、本発明はこれに限定されるものではなく、例えば補正後の第１及び第２の画像に対するデジタルゲインの値を絞り値に応じて変更するようにしてもよい。
【０１４４】
また、デジタルゲインを変更することにより第１及び第２の画像の輝度を変更する方法と上記第２実施形態で説明した絞り値に応じて目標感度を変更する方法とを状況に応じて使い分けてもよい。この場合、デジタルゲインを変更することにより第１及び第２の画像の輝度を変更する方法は、撮像装置１００Ａの出荷後に用い、上記第２実施形態で説明した絞り値に応じて目標感度を変更する方法は、撮像装置１００Ａの出荷前に用いる例が挙げられる。
【０１４５】
また、上記第２実施形態では、絞り値に基づいて感度補正係数を導出する場合の例を挙げて説明したが、本発明はこれに限定されるものではなく、絞り値以外の撮影条件に基づいて感度補正係数を導出してもよい。例えば、撮影で実際に用いられる撮影レンズ１６の種類に応じて感度補正係数を導出してもよい。この場合、補正部２８Ｃは、撮影レンズ１６の種類に応じた基準感度を参考にして感度補正係数を導出する。すなわち、補正部２８Ｃは、撮影レンズ１６の種類に応じた基準感度を用いて感度比を算出し、算出した感度比に基づいて近似直線を導出する。そして、導出した近似直線に基づいて感度補正係数を導出する。また、第１及び第２の画素群に割り当てられているカラーフィルタ２１の色に基づいて感度補正係数を導出してもよい。この場合、補正部２８Ｃは、第１及び第２の画素群の各々について、割り当てられているカラーフィルタ２１の色に応じた基準感度を用いて感度比を算出し、算出した感度比に基づいて近似直線を導出する。そして、導出した近似直線に基づいて感度補正係数を導出する。
【０１４６】
［第３実施形態］
上記第２実施形態では、予め定められた複数の絞り値の各々に応じた目標感度に基づいて感度補正係数を生成する場合について説明したが、本第３実施形態では、予め定められた複数の絞り値以外の絞り値が現在設定されている場合について説明する。なお、本第３実施形態では、上記各実施形態で説明した構成要素には同一の符号を付し、説明を省略する。
【０１４７】
図１に示す第３実施形態に係る撮像装置１００Ｂは、上記第２実施形態に係る撮像装置１００Ａと比較して、一例として図２４に示すように、上記第２実施形態に係る図１５に示す画像出力処理に対してステップ４４０，４４２を設けた点が異なっている。なお、以下では、説明の便宜上、予め定められた複数の絞り値としてＦ２．０及びＦ２．８が採用されている場合について説明する。また、以下では、説明の便宜上、Ｆ２．０及びＦ２．８の各々の場合に画像処理部２８によって図２０に示す感度補正係数取得処理が行われることによって既にメモリ４４にＦ２．０及びＦ２．８の各々に対応する感度補正係数が記憶されていることを前提にして説明する。
【０１４８】
図２４に示す画像出力処理では、ステップ４４０において、補正部２８Ｃにより、メモリ４４に記憶されている感度補正係数が現在設定されている絞り値に対応した感度補正係数であるか否かが判定される。ステップ４４０において、メモリ４４に記憶されている感度補正係数が現在設定されている絞り値に対応した感度補正係数である場合は、判定が肯定されてステップ４０８へ移行する。ステップ４４０において、メモリ４４に記憶されている感度補正係数が現在設定されている絞り値に対応した感度補正係数でない場合は、判定が否定されてステップ４４２へ移行する。
【０１４９】
感度補正係数は、上記各実施形態で説明したように補正用直線から一意に導出される。本第３実施形態では、一例として図２５に示すように、Ｆ２．８の感度補正係数が、“ｙ＝ａ２．０ｘ＋ｂ２．０”との一次関数で特定され、Ｆ２．８の感度補正係数が、“ｙ＝ａ２．８ｘ＋ｂ２．８”との一次関数で特定される。
【０１５０】
そこで、ステップ４４２では、補正部２８Ｃにより、“ｙ＝ａ２．０ｘ＋ｂ２．０”との一次関数で特定される感度補正係数と“ｙ＝ａ２．８ｘ＋ｂ２．８”との一次関数で特定される感度補正係数とを補間することで現在設定されている絞り値に応じた感度補正係数を算出する。例えば、現在設定されている絞り値がＦ２．２の場合、感度補正係数は、一例として図２５に示すように“ｙ＝ａ２．２ｘ＋ｂ２．２”との一次関数で特定される。この場合、補正部２８Ｃは、一例として図２６に示すように、傾きａ２．２及び切片ｂ２．２の各々を線形補間で算出する。すなわち、下記の式（５）から傾きａ２．２を算出し、下記の式（６）から切片ｂ２．２を算出する。
【０１５１】
ａ２．２＝（１−ｔ）×ａ２．０＋｛ｌｏｇ√２（２．２／２．０）｝×ａ２．８・・・・（５）
【０１５２】
ｂ２．２＝（１−ｔ）×ｂ２．０＋｛ｌｏｇ√２（２．２／２．０）｝×ｂ２．８・・・・（６）
【０１５３】
このように、補正部２８Ｃは、現在設定されている絞り値が予め定められた複数の絞り値の何れでもない場合に、予め定められた複数の絞り値のうちの２つの絞り値の各々に対応する感度補正係数を補間して得た感度補正係数を用いて第１及び第２の画像を補正する。従って、本第３実施形態に係る撮像装置１００Ｂは、絞り値が無段階的に設定される場合であっても、スプリットイメージの瞳分割方向に相当する方向の両端部に含まれる画素の輝度が目標とする輝度から絞り値に起因して乖離することを抑制することができる。
【０１５４】
なお、上記第３実施形態では、予め定められた複数の絞り値として２つの絞り値を採用した場合について説明したが、本発明はこれに限定されるものではなく、予め定められた複数の絞り値は、３つ以上の絞り値であってもよい。この場合、現在設定されている絞り値に最も近い２つの絞り値に対して既に割り当てられている感度補正係数を用いて補間を行ってもよい。また、２つの絞り値を１組とした場合、複数組の各々において補間を行って得た感度補正係数の平均値を第１及び第２の画像の輝度の補正に用いるようにしてもよい。この場合、例えば、絞り値Ａ，Ｂ，Ｃのうちの絞り値Ａ，Ｂの各々に対して既に割り当てられている感度補正係数を補間する。また、絞り値Ａ，Ｃの各々に対して既に割り当てられている感度補正係数も補間する。更に、絞り値Ｂ，Ｃの各々に対して既に割り当てられている感度補正係数も補間する。そして、これらの補間によって各々得られた感度補正係数の平均値を第１及び第２の画像の輝度の補正に用いる。
【０１５５】
［第４実施形態］
上記各実施形態では、撮像装置１００（１００Ａ，１００Ｂ）を例示したが、撮像装置１００の変形例である携帯端末装置としては、例えばカメラ機能を有する携帯電話機やスマートフォンなどが挙げられる。この他にも、ＰＤＡ（Personal Digital Assistants）や携帯型ゲーム機などが挙げられる。本第５実施形態では、スマートフォンを例に挙げ、図面を参照しつつ、詳細に説明する。
【０１５６】
図２７は、スマートフォン５００の外観の一例を示す斜視図である。図２７に示すスマートフォン５００は、平板状の筐体５０２を有し、筐体５０２の一方の面に表示部としての表示パネル５２１と、入力部としての操作パネル５２２とが一体となった表示入力部５２０を備えている。また、筐体５０２は、スピーカ５３１と、マイクロホン５３２と、操作部５４０と、カメラ部５４１とを備えている。なお、筐体５０２の構成はこれに限定されず、例えば、表示部と入力部とが独立した構成を採用したり、折り畳み構造やスライド構造を有する構成を採用することもできる。
【０１５７】
図２８は、図２７に示すスマートフォン５００の構成の一例を示すブロック図である。図２８に示すように、スマートフォン５００の主たる構成要素として、無線通信部５１０と、表示入力部５２０と、通話部５３０と、操作部５４０と、カメラ部５４１と、記憶部５５０と、外部入出力部５６０と、を備える。また、スマートフォン５００の主たる構成要素として、ＧＰＳ（Global Positioning System）受信部５７０と、モーションセンサ部５８０と、電源部５９０と、主制御部５０１と、を備える。また、スマートフォン５００の主たる機能として、基地局装置ＢＳと移動通信網ＮＷとを介した移動無線通信を行う無線通信機能を備える。
【０１５８】
無線通信部５１０は、主制御部５０１の指示に従って、移動通信網ＮＷに収容された基地局装置ＢＳに対して無線通信を行うものである。この無線通信を使用して、音声データ、画像データ等の各種ファイルデータ、電子メールデータなどの送受信や、Ｗｅｂデータやストリーミングデータなどの受信を行う。
【０１５９】
表示入力部５２０は、いわゆるタッチパネルであって、表示パネル５２１と、操作パネル５２２とを備える。そのため、表示入力部５２０は、主制御部５０１の制御により、画像（静止画像および動画像）や文字情報などを表示して視覚的にユーザに情報を伝達し、かつ、表示した情報に対するユーザ操作を検出する。なお、生成された３Ｄを鑑賞する場合には、表示パネル５２１は、３Ｄ表示パネルであることが好ましい。
【０１６０】
表示パネル５２１は、ＬＣＤ、ＯＥＬＤ(Organic Electro-Luminescence Display)などを表示デバイスとして用いたものである。操作パネル５２２は、表示パネル５２１の表示面上に表示される画像を視認可能に載置され、ユーザの指や尖筆によって操作される一又は複数の座標を検出するデバイスである。係るデバイスをユーザの指や尖筆によって操作すると、操作に起因して発生する検出信号を主制御部５０１に出力する。次いで、主制御部５０１は、受信した検出信号に基づいて、表示パネル５２１上の操作位置（座標）を検出する。
【０１６１】
図２７に示すように、スマートフォン５００の表示パネル５２１と操作パネル５２２とは一体となって表示入力部５２０を構成しているが、操作パネル５２２が表示パネル５２１を完全に覆うような配置となっている。この配置を採用した場合、操作パネル５２２は、表示パネル５２１外の領域についても、ユーザ操作を検出する機能を備えてもよい。換言すると、操作パネル５２２は、表示パネル５２１に重なる重畳部分についての検出領域（以下、表示領域と称する）と、それ以外の表示パネル５２１に重ならない外縁部分についての検出領域（以下、非表示領域と称する）とを備えていてもよい。
【０１６２】
なお、表示領域の大きさと表示パネル５２１の大きさとを完全に一致させても良いが、両者を必ずしも一致させる必要は無い。また、操作パネル５２２が、外縁部分と、それ以外の内側部分の２つの感応領域を備えていてもよい。更に、外縁部分の幅は、筐体５０２の大きさなどに応じて適宜設計されるものである。更にまた、操作パネル５２２で採用される位置検出方式としては、マトリクススイッチ方式、抵抗膜方式、表面弾性波方式、赤外線方式、電磁誘導方式、静電容量方式などが挙げられ、いずれの方式を採用することもできる。
【０１６３】
通話部５３０は、スピーカ５３１やマイクロホン５３２を備える。通話部５３０は、マイクロホン５３２を通じて入力されたユーザの音声を主制御部５０１にて処理可能な音声データに変換して主制御部５０１に出力する。また、通話部５３０は、無線通信部５１０あるいは外部入出力部５６０により受信された音声データを復号してスピーカ５３１から出力する。また、図２８に示すように、例えば、スピーカ５３１を表示入力部５２０が設けられた面と同じ面に搭載し、マイクロホン５３２を筐体５０２の側面に搭載することができる。
【０１６４】
操作部５４０は、キースイッチなどを用いたハードウェアキーであって、ユーザからの指示を受け付けるものである。例えば、図２７に示すように、操作部５４０は、スマートフォン５００の筐体５０２の側面に搭載され、指などで押下されるとオンとなり、指を離すとバネなどの復元力によってオフ状態となる押しボタン式のスイッチである。
【０１６５】
記憶部５５０は、主制御部５０１の制御プログラムや制御データ、アプリケーションソフトウェア、通信相手の名称や電話番号などを対応づけたアドレスデータ、送受信した電子メールのデータを記憶する。また、記憶部５５０は、ＷｅｂブラウジングによりダウンロードしたＷｅｂデータや、ダウンロードしたコンテンツデータを記憶する。また、記憶部５５０は、ストリーミングデータなどを一時的に記憶する。また、記憶部５５０は、スマートフォン内蔵の内部記憶部５５１と着脱自在な外部メモリスロットを有する外部記憶部５５２を有する。なお、記憶部５５０を構成するそれぞれの内部記憶部５５１と外部記憶部５５２は、フラッシュメモリタイプ（flash memory type）、ハードディスクタイプ（hard disk type）などの格納媒体を用いて実現される。格納媒体としては、この他にも、マルチメディアカードマイクロタイプ（multimedia card micro type）、カードタイプのメモリ（例えば、ＭｉｃｒｏＳＤ（登録商標）メモリ等）、ＲＡＭ（Random Access Memory）、ＲＯＭ（Read Only Memory）が例示できる。
【０１６６】
外部入出力部５６０は、スマートフォン５００に連結される全ての外部機器とのインタフェースの役割を果たすものであり、他の外部機器に通信等又はネットワークにより直接的又は間接的に接続するためのものである。他の外部機器に通信等としては、例えば、ユニバーサルシリアルバス（ＵＳＢ）、ＩＥＥＥ１３９４などが挙げられる。ネットワークとしては、例えば、インターネット、無線ＬＡＮ、ブルートゥース（Bluetooth（登録商標））、ＲＦＩＤ（Radio Frequency Identification）、赤外線通信（Infrared Data Association：ＩｒＤＡ（登録商標））が挙げられる。また、ネットワークの他の例としては、ＵＷＢ（Ultra Wideband（登録商標））、ジグビー（ZigBee（登録商標））などが挙げられる。
【０１６７】
スマートフォン５００に連結される外部機器としては、例えば、有／無線ヘッドセット、有／無線外部充電器、有／無線データポート、カードソケットを介して接続されるメモリカード（Memory card）が挙げられる。外部機器の他の例としては、ＳＩＭ(Subscriber Identity Module Card)／ＵＩＭ(User Identity Module Card)カード、オーディオ・ビデオＩ／Ｏ（Input/Output）端子を介して接続される外部オーディオ・ビデオ機器が挙げられる。外部オーディオ・ビデオ機器の他にも、無線接続される外部オーディオ・ビデオ機器が挙げられる。また、外部オーディオ・ビデオ機器に代えて、例えば有／無線接続されるスマートフォン、有／無線接続されるパーソナルコンピュータ、有／無線接続されるＰＤＡ、有／無線接続されるパーソナルコンピュータ、イヤホンなども適用可能である。
【０１６８】
外部入出力部は、このような外部機器から伝送を受けたデータをスマートフォン５００の内部の各構成要素に伝達することや、スマートフォン５００の内部のデータが外部機器に伝送されるようにすることができる。
【０１６９】
ＧＰＳ受信部５７０は、主制御部５０１の指示にしたがって、ＧＰＳ衛星ＳＴ１〜ＳＴｎから送信されるＧＰＳ信号を受信し、受信した複数のＧＰＳ信号に基づく測位演算処理を実行し、当該スマートフォン５００の緯度、経度、高度からなる位置を検出する。ＧＰＳ受信部５７０は、無線通信部５１０や外部入出力部５６０（例えば、無線ＬＡＮ）から位置情報を取得できる時には、その位置情報を用いて位置を検出することもできる。
【０１７０】
モーションセンサ部５８０は、例えば、３軸の加速度センサなどを備え、主制御部５０１の指示にしたがって、スマートフォン５００の物理的な動きを検出する。スマートフォン５００の物理的な動きを検出することにより、スマートフォン５００の動く方向や加速度が検出される。この検出結果は、主制御部５０１に出力されるものである。
【０１７１】
電源部５９０は、主制御部５０１の指示にしたがって、スマートフォン５００の各部に、バッテリ（図示省略）に蓄えられる電力を供給するものである。
【０１７２】
主制御部５０１は、マイクロプロセッサを備え、記憶部５５０が記憶する制御プログラムや制御データにしたがって動作し、スマートフォン５００の各部を統括して制御するものである。また、主制御部５０１は、無線通信部５１０を通じて、音声通信やデータ通信を行うために、通信系の各部を制御する移動通信制御機能と、アプリケーション処理機能を備える。
【０１７３】
アプリケーション処理機能は、記憶部５５０が記憶するアプリケーションソフトウェアにしたがって主制御部５０１が動作することにより実現するものである。アプリケーション処理機能としては、例えば、外部入出力部５６０を制御して対向機器とデータ通信を行う赤外線通信機能や、電子メールの送受信を行う電子メール機能、Ｗｅｂページを閲覧するＷｅｂブラウジング機能などがある。
【０１７４】
また、主制御部５０１は、受信データやダウンロードしたストリーミングデータなどの画像データ（静止画像や動画像のデータ）に基づいて、映像を表示入力部５２０に表示する等の画像処理機能を備える。画像処理機能とは、主制御部５０１が、上記画像データを復号し、この復号結果に画像処理を施して、画像を表示入力部５２０に表示する機能のことをいう。
【０１７５】
更に、主制御部５０１は、表示パネル５２１に対する表示制御と、操作部５４０、操作パネル５２２を通じたユーザ操作を検出する操作検出制御とを実行する。
【０１７６】
表示制御の実行により、主制御部５０１は、アプリケーションソフトウェアを起動するためのアイコンや、スクロールバーなどのソフトウェアキーを表示したり、あるいは電子メールを作成したりするためのウィンドウを表示する。なお、スクロールバーとは、表示パネル５２１の表示領域に収まりきれない大きな画像などについて、画像の表示部分を移動する指示を受け付けるためのソフトウェアキーのことをいう。
【０１７７】
また、操作検出制御の実行により、主制御部５０１は、操作部５４０を通じたユーザ操作を検出したり、操作パネル５２２を通じて、上記アイコンに対する操作や、上記ウィンドウの入力欄に対する文字列の入力を受け付けたりする。また、操作検出制御の実行により、主制御部５０１は、スクロールバーを通じた表示画像のスクロール要求を受け付ける。
【０１７８】
更に、操作検出制御の実行により主制御部５０１は、操作パネル５２２に対する操作位置が、表示パネル５２１に重なる重畳部分（表示領域）か、それ以外の表示パネル２１に重ならない外縁部分（非表示領域）かを判定する。そして、この判定結果を受けて、操作パネル５２２の感応領域や、ソフトウェアキーの表示位置を制御するタッチパネル制御機能を備える。
【０１７９】
また、主制御部５０１は、操作パネル５２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【０１８０】
カメラ部５４１は、ＣＭＯＳやＣＣＤなどの撮像素子を用いて撮像するデジタルカメラであり、図１等に示す撮像装置１００と同様の機能を備えている。
【０１８１】
また、カメラ部５４１は、マニュアルフォーカスモードとオートフォーカスモードとを切り替え可能である。マニュアルフォーカスモードが選択されると、操作部５４０又は表示入力部５２０に表示されるフォーカス用のアイコンボタン等を操作することにより、カメラ部５４１の撮影レンズのピント合わせを行うことができる。また、マニュアルフォーカスモード時には、スプリットイメージが合成されたライブビュー画像を表示パネル５２１に表示させ、これによりマニュアルフォーカス時の合焦状態を確認できるようにしている。なお、図９に示すハイブリッドファインダー２２０をスマートフォン５００に設けるようにしてもよい。
【０１８２】
また、カメラ部５４１は、主制御部５０１の制御により、撮像によって得た画像データを例えばＪＰＥＧ(Joint Photographic coding Experts Group)などの圧縮した画像データに変換する。そして、変換して得た画像データを記憶部５５０に記録したり、入出力部５６０や無線通信部５１０を通じて出力することができる。図２７に示すにスマートフォン５００において、カメラ部５４１は表示入力部５２０と同じ面に搭載されているが、カメラ部５４１の搭載位置はこれに限らず、表示入力部５２０の背面に搭載されてもよいし、あるいは、複数のカメラ部５４１が搭載されてもよい。なお、複数のカメラ部５４１が搭載されている場合には、撮像に供するカメラ部５４１を切り替えて単独にて撮像したり、あるいは、複数のカメラ部５４１を同時に使用して撮像したりすることもできる。
【０１８３】
また、カメラ部５４１はスマートフォン５００の各種機能に利用することができる。例えば、表示パネル５２１にカメラ部５４１で取得した画像を表示することや、操作パネル５２２の操作入力のひとつとして、カメラ部５４１の画像を利用することができる。また、ＧＰＳ受信部５７０が位置を検出する際に、カメラ部５４１からの画像を参照して位置を検出することもできる。更には、カメラ部５４１からの画像を参照して、３軸の加速度センサを用いずに、或いは、３軸の加速度センサと併用して、スマートフォン５００のカメラ部５４１の光軸方向を判断することや、現在の使用環境を判断することもできる。勿論、カメラ部５４１からの画像をアプリケーションソフトウェア内で利用することもできる。
【０１８４】
その他、静止画又は動画の画像データに各種情報を付加して記憶部５５０に記録したり、入出力部５６０や無線通信部５１０を通じて出力したりすることもできる。ここで言う「各種情報」としては、例えば、静止画又は動画の画像データにＧＰＳ受信部５７０により取得した位置情報、マイクロホン５３２により取得した音声情報（主制御部等により、音声テキスト変換を行ってテキスト情報となっていてもよい）が挙げられる。この他にも、モーションセンサ部５８０により取得した姿勢情報等などであってもよい。
【０１８５】
また、上記各実施形態では、上下方向に２分割されたスプリットイメージを例示したが、これに限らず、左右方向又は斜め方向に複数分割された画像をスプリットイメージとして適用してもよい。
【０１８６】
例えば、図２９に示すスプリットイメージ６６ａは、行方向に平行な複数の分割線６３ａにより奇数ラインと偶数ラインとに分割されている。このスプリットイメージ６６ａでは、第１の画素群から出力された出力信号に基づいて生成されたライン状（一例として短冊状）の位相差画像６６Ｌａが奇数ライン（偶数ラインでも可）に表示される。また、第２の画素群から出力された出力信号に基づき生成されたライン状（一例として短冊状）の位相差画像６６Ｒａが偶数ラインに表示される。
【０１８７】
また、図３０に示すスプリットイメージ６６ｂは、行方向に傾き角を有する分割線６３ｂ（例えば、スプリットイメージ６６ｂの対角線）により２分割されている。このスプリットイメージ６６ｂでは、第１の画素群から出力された出力信号に基づき生成された位相差画像６６Ｌｂが一方の領域に表示される。また、第２の画素群から出力された出力信号に基づき生成された位相差画像６６Ｒｂが他方の領域に表示される。
【０１８８】
また、図３１Ａ及び図３１Ｂに示すスプリットイメージ６６ｃは、行方向及び列方向にそれぞれ平行な格子状の分割線６３ｃにより分割されている。スプリットイメージ６６ｃでは、第１の画素群から出力された出力信号に基づき生成された位相差画像６６Ｌｃが市松模様（チェッカーパターン）状に並べられて表示される。また、第２の画素群から出力された出力信号に基づき生成された位相差画像６６Ｒｃが市松模様状に並べられて表示される。
【０１８９】
また、スプリットイメージに限らず、２つの位相差画像から他の合焦確認画像を生成し、合焦確認画像を表示するようにしてもよい。例えば、２つの位相差画像を重畳して合成表示し、ピントがずれている場合は２重像として表示され、ピントが合った状態ではクリアに画像が表示されるようにしてもよい。
【０１９０】
また、上記各実施形態では、第１〜第３の画素群を有する撮像素子２０を例示したが、本発明はこれに限定されるものではなく、第１の画素群及び第２の画素群のみからなる撮像素子であってもよい。この種の撮像素子を有するデジタルカメラは、第１の画素群から出力された第１の画像及び第２の画素群から出力された第２の画像に基づいて３次元画像（３Ｄ画像）を生成することができるし、２次元画像（２Ｄ画像）も生成することができる。この場合、２次元画像の生成は、例えば第１の画像及び第２の画像の相互における同色の画素間で補間処理を行うことで実現される。また、補間処理を行わずに、第１の画像又は第２の画像を２次元画像として採用してもよい。
【０１９１】
また、上記各実施形態では、第１〜第３の画像が画像処理部２８に入力された場合に通常画像とスプリットイメージとの双方を表示装置の同画面に同時に表示する態様を例示したが、本発明はこれに限定されるものではない。例えば、表示制御部３６が、表示装置に対する通常画像の動画像としての連続した表示を抑止し、かつ、表示装置に対してスプリットイメージを動画像として連続して表示させる制御を行うようにしてもよい。ここで言う「通常画像の表示を抑止する」とは、例えば表示装置に対して通常画像を表示させないことを指す。具体的には、通常画像を生成するものの表示装置に通常画像を出力しないことで表示装置に対して通常画像を表示させないことや通常画像を生成しないことで表示装置に対して通常画像を表示させないことを指す。表示装置の画面全体を利用してスプリットイメージを表示させてもよいし、一例として図１２に示すスプリットイメージの表示領域の全体を利用してスプリットイメージを表示させてもよい。なお、ここで言う「スプリットイメージ」としては、特定の撮像素子を使用する場合において、位相差画群から出力された画像（例えば第１の画素群から出力された第１の画像及び第２の画素群から出力された第２の画像）に基づくスプリットイメージが例示できる。「特定の撮像素子を使用する場合」としては、例えば位相差画素群（例えば第１の画素群及び第２の画素群）のみからなる撮像素子を使用する場合が挙げられる。この他にも、通常画素に対して所定の割合で位相差画素（例えば第１の画素群及び第２の画素群）が配置された撮像素子を使用する場合が例示できる。
【０１９２】
また、通常画像の表示を抑止してスプリットイメージを表示させるための条件としては、様々な条件が考えられる。例えば、スプリットイメージの表示が指示されている状態で通常画像の表示指示が解除された場合に表示制御部３６が表示装置に対して通常画像を表示させずにスプリットイメージを表示させる制御を行うようにしてもよい。また、例えば、撮影者がハイブリッドファインダーを覗きこんだ場合に表示制御部３６が表示装置に対して通常画像を表示させずにスプリットイメージを表示させる制御を行うようにしてもよい。また、例えば、レリーズボタン２１１が半押し状態にされた場合に表示制御部３６が表示装置に対して通常画像を表示させずにスプリットイメージを表示させる制御を行うようにしてもよい。また、例えば、レリーズボタン２１１に対して押圧操作が行われていない場合に表示制御部３６が表示装置に対して通常画像を表示させずにスプリットイメージを表示させる制御を行うようにしてもよい。また、例えば、被写体の顔を検出する顔検出機能を働かせた場合に表示制御部３６が表示装置に対して通常画像を表示させずにスプリットイメージを表示させる制御を行うようにしてもよい。
【０１９３】
また、上記各実施形態で説明した撮像装置１００（１００Ａ，１００Ｂ）は、被写界深度を確認する機能（被写界深度確認機能）を有していてもよい。この場合、例えば撮像装置１００は被写界深度確認キーを有する。被写界深度確認キーは、ハードキーであってもよいし、ソフトキーであってもよい。ハードキーによる指示の場合は、例えばモーメンタリ動作型のスイッチ（非保持型スイッチ）を適用することが好ましい。ここで言うモーメンタリ動作型のスイッチとは、例えば所定位置に押し込まれている間だけ撮像装置１００における特定の動作状態を維持するスイッチを指す。ここで、被写界深度確認キーは、押下されると絞り値が変更される。また、被写界深度確認キーに対する押下が継続して行われている間（所定位置に押し込まれている間）、絞り値は限界値に達するまで変化し続ける。このように、被写界深度確認キーの押下中は、絞り値が変化するため、スプリットイメージを得るために必要な位相差が得られない場合がある。そこで、スプリットイメージが表示されている状態で、被写界深度確認キーが押下された場合、押下中はスプリットイメージから通常のライブビュー表示に変更し、押下状態が解除された際に再度スプリットイメージを表示させるように画面の切り替えをＣＰＵ１２が行うようにしてもよい。なお、ここでは、被写界深度確認キーの一例としてモーメンタリ動作型のスイッチを適用した場合を例示したが、これに限らず、オルタネイト動作型のスイッチ（保持型スイッチ）を適用してもよい。
【０１９４】
また、上記各実施形態で説明した画像出力処理の流れ（図１５及び図２４参照）はあくまでも一例である。従って、主旨を逸脱しない範囲内において不要なステップを削除したり、新たなステップを追加したり、処理順序を入れ替えたりしてもよいことは言うまでもない。また、上記各実施形態で説明した画像出力処理及び感度補正係数取得処理に含まれる各処理は、プログラムを実行することにより、コンピュータを利用してソフトウェア構成により実現されてもよいし、その他のハードウェア構成で実現されてもよい。また、ハードウェア構成とソフトウェア構成の組み合わせによって実現してもよい。
【０１９５】
上記各実施形態で説明した画像出力処理を、コンピュータによりプログラムを実行することにより実現する場合は、プログラムを所定の記憶領域（例えばメモリ２６）に予め記憶しておけばよい。なお、必ずしも最初からメモリ２６に記憶させておく必要はない。例えば、コンピュータに接続されて使用されるＳＳＤ（Solid State Drive）、ＣＤ−ＲＯＭ、ＤＶＤディスク、光磁気ディスク、ＩＣカードなどの任意の「可搬型の記憶媒体」に先ずはプログラムを記憶させておいてもよい。そして、コンピュータがこれらの可搬型の記憶媒体からプログラムを取得して実行するようにしてもよい。また、インターネットやＬＡＮ（Local Area Network）などを介してコンピュータに接続される他のコンピュータまたはサーバ装置などに各プログラムを記憶させておき、コンピュータがこれらからプログラムを取得して実行するようにしてもよい。
【符号の説明】
【０１９６】
１６  撮影レンズ
２０  撮像素子
２６  メモリ
２８Ａ  画像取得部
２８Ｂ  感度取得部
２８Ｃ  補正部
２８Ｄ  生成部
３６Ａ，３６Ｂ  表示制御部
１００，１００Ａ  撮像装置
２１３  表示部
２４７  ＬＣＤ
【図５】
0005889441.tif 000005
【図２４】
0005889441.tif 000006
【図１】
0005889441.tif 000007
【図２】
0005889441.tif 000008
【図３】
0005889441.tif 000009
【図４】
0005889441.tif 000010
【図６】
0005889441.tif 000011
【図７】
0005889441.tif 000012
【図８】
0005889441.tif 000013
【図９】
0005889441.tif 000014
【図１０】
0005889441.tif 000015
【図１１Ａ】
0005889441.tif 000016
【図１１Ｂ】
0005889441.tif 000017
【図１２】
0005889441.tif 000018
【図１３】
0005889441.tif 000019
【図１４】
0005889441.tif 000020
【図１５】
0005889441.tif 000021
【図１６】
0005889441.tif 000022
【図１７】
0005889441.tif 000023
【図１８】
0005889441.tif 000024
【図１９】
0005889441.tif 000025
【図２０】
0005889441.tif 000026
【図２１】
0005889441.tif 000027
【図２２】
0005889441.tif 000028
【図２３】
0005889441.tif 000029
【図２５】
0005889441.tif 000030
【図２６】
0005889441.tif 000031
【図２７】
0005889441.tif 000032
【図２８】
0005889441.tif 000033
【図２９】
0005889441.tif 000034
【図３０】
0005889441.tif 000035
【図３１Ａ】
0005889441.tif 000036
【図３１Ｂ】
0005889441.tif 000037